(57)【要約】衛生化システムは、衛生化マネージャと、１つ以上の衛生化ステーションと、を含む。衛生化マネージャは、とりわけ衛生化ポリシーに基づいて、ポータブルデバイス（ＰＤ）を監視し、ＰＤの衛生化動作をスケジュールする。衛生化ポリシーは、ＰＤを最後に衛生化してから経過した時間、及び／又は（例えば、ＰＤの使用、場所、患者への露出、及び／又は同類のことに基づく）ＰＤの潜在的な汚染に基づいて、ＰＤを衛生化することを要求することができる。衛生化ステーションは、それぞれのＰＤに行った衛生化動作を衛生化マネージャに通知するように構成することができる。
2020524028.tif 000002
【特許請求の範囲】
【請求項１】
ポータブル電子デバイスを衛生化するための装置であって、
前記ポータブル電子デバイスを受容するように構成された内部区画を備えるエンクロージャと、
前記内部区画へのアクセスを提供するための前面パネルであって、紫外放射線を透過する内面を備える、前面パネルと、
前記前面パネルを前記エンクロージャの底壁に連結するヒンジであって、前記前面パネルが、前記ヒンジの固定回転軸を中心に前記エンクロージャに対して回転し、前記前面パネルが、開位置と閉位置との間で選択的に回転し、
前記前面パネルが前記閉位置にあるとき、前記前面パネルの前記内面が、前記ポータブル電子デバイスを起こした位置に固定し、前記前面パネルが前記開位置にあるとき、前記前面パネルの前記内面が、前記ポータブル電子デバイスを倒した位置に支持する、ヒンジと、
電気光学的放射線を前記内部区画の中へ放出するように構成された１つ以上のエミッタであって、少なくとも１つのエミッタが、前記前面パネルの前記内面を通して、前記電気光学的放射線を前記内部区画の中へ放出するように構成される、１つ以上のエミッタと、を備える、装置。
【請求項２】
前記前面パネルが、開位置と閉位置との間を回転する間、前記ポータブル電子デバイスを安定させる、請求項１に記載の装置。
【請求項３】
前記前面パネルが、前記ポータブル電子デバイスを安定させるための、前記紫外放射線を妨げないガイド構造を更に備える、請求項２に記載の装置。
【請求項４】
前記前面パネルが、前記ポータブル電子デバイスを安定させるためのスロットを更に備える、請求項２に記載の装置。
【請求項５】
前記前面パネルが、前記ポータブル電子デバイスを安定させるための一連の溝を更に備える、請求項２に記載の装置。
【請求項６】
前記前面パネルが、前記ポータブル電子デバイスを安定させるための高摩擦面を更に備える、請求項２に記載の装置。
【請求項７】
前記前面パネルが前記ポータブル電子デバイスを前記起こした位置に支持するように、前記起こした位置において、前記ポータブル電子デバイスが、前記エンクロージャの前記底壁に対してある角度である、請求項１に記載の装置。
【請求項８】
前記エンクロージャが、壁に装着するように構成される、請求項１に記載の装置。
【請求項９】
ポータブル電子デバイスを衛生化するための装置であって、
ポータブル電子デバイスを受容するように構成された内部区画を備えるエンクロージャと、
電気光学的放射線を前記内部区画の中へ放出するように構成された１つ以上のエミッタと、
前記複数のポータブル電子デバイスの各々の実質的に表面全体が前記１つ以上のエミッタによって放出される前記電気光学的放射線に曝露されるように、前記複数のポータブル電子デバイスを維持するように構成された支持体と、
ユーザからのタッチレス入力を受信するためのインターフェースと、
タッチレスユーザ入力に応答して前記エンクロージャを開くためのアクチュエータと、を備える、装置。
【請求項１０】
前記支持体が、前記内部区画へのアクセスを提供するための前面パネルを備え、前記前面パネルが、紫外放射線を透過する内面を備える、請求項９に記載の装置。
【請求項１１】
前記前面パネルを前記エンクロージャの底壁に連結するヒンジを更に備え、前記前面パネルが、前記ヒンジの固定回転軸を中心に前記エンクロージャに対して回転し、前記前面パネルが、開位置と閉位置との間で選択的に回転する、請求項１０に記載の装置。
【請求項１２】
前記インターフェースが、ユーザの運動を検出するためのセンサを備える、請求項９に記載の装置。
【請求項１３】
前記アクチュエータは、前記センサが事前定義した運動を検出したときに前記エンクロージャを開く、請求項１２に記載の装置。
【請求項１４】
前記アクチュエータが、前記センサが目標の場所における運動を検出したときに前記前面パネルの前記エンクロージャを開く、請求項１２に記載の装置。
【請求項１５】
前記アクチュエータが、前記ポータブル電子デバイスに入力されたユーザ命令に応答して前記エンクロージャを開く、請求項９に記載の装置。
【請求項１６】
複数のポータブル電子デバイスを衛生化するためのシステムであって、
少なくとも１つの衛生化ステーションであって、
前記複数のポータブル電子デバイスのうちの少なくとも１つを受容するように構成された内部区画を備えるエンクロージャと、
電気光学的放射線を前記内部区画の中へ放出するように構成された１つ以上のエミッタと、を備える、少なくとも１つの衛生化ステーションと、
前記複数のポータブル電子デバイス及び前記少なくとも１つの衛生化ステーションと通信するサーバであって、前記サーバが、
プロセッサと、
命令を記憶させた非一時的コンピュータ可読媒体と、を備え、この命令が、前記プロセッサによって実行されたときに、前記サーバに、前記複数のポータブル電子デバイスのうちの１つを衛生化する必要性をユーザに警告するための動作を行わせ、前記動作が、
前記複数のポータブル電子デバイスの各々の１つ以上の状態を監視することと、
前記１つ以上の１つ以上の状態に基づいて、第１のポータブル電子デバイスが１つ以上の衛生化ルールに従う衛生化を必要とすることを判定することと、
前記第１のポータブル電子デバイスを前記少なくとも１つの衛生化ステーションに置くように前記ユーザに命令することと、を含む、サーバと、を備える、システム。
【請求項１７】
前記衛生化ステーションが、受容したポータブル電子デバイスを識別するためのデバイス検出器を更に備える、請求項１６に記載のシステム。
【請求項１８】
前記衛生化ステーションが、前記受容したポータブル電子デバイスの識別情報を前記サーバに通知する信号を送信するための送信機を更に備える、請求項１７に記載のシステム。
【請求項１９】
前記サーバの前記動作が、衛生化動作をロギングすることを更に備える、請求項１８に記載のシステム。
【請求項２０】
前記サーバの前記動作が、前記１つ以上の衛生化ルールによって定義されるポリシー違反をロギングすることを更に備える、請求項１８に記載のシステム。
【請求項２１】
前記監視される状態が、最後の洗浄からの時間を含む、請求項１６に記載のシステム。
【請求項２２】
前記監視される状態が、前記複数のポータブル電子デバイスの各々に入力された患者の症状を含む、請求項１６に記載のシステム。
【請求項２３】
前記監視される状態が、前記複数のポータブル電子デバイスの各々に入力された患者の治療を含む、請求項１６に記載のシステム。
【請求項２４】
前記サーバの前記動作が、前記複数のポータブル電子デバイスの各々の場所情報を受信することを更に含む、請求項１６に記載のシステム。
【請求項２５】
前記衛生化ルールが、衛生化を必要とする場所を定義する、請求項２４に記載のシステム。
【請求項２６】
前記衛生化ルールが、場所に基づいて衛生化スケジュールを定義する、請求項２４に記載のシステム。
【請求項２７】
前記ユーザに命令することが、信号を前記第１のポータブル電子デバイスに送信することを含み、前記信号が、前記第１のポータブル電子デバイスに、衛生化の必要性を前記ユーザに警告する、請求項１６に記載のシステム。
【請求項２８】
前記信号が、前記第１のポータブル電子デバイスに、警告を表示させる、請求項２７に記載のシステム。
【請求項２９】
前記信号が、前記第１のポータブル電子デバイスに、可聴音を発させる、請求項２７に記載のシステム。
【請求項３０】
前記可聴音が、前記第１のポータブル電子デバイスがある場所から取り外されるまで持続的である、請求項２９に記載のシステム。
【請求項３１】
前記信号が、前記第１のポータブル電子デバイスをロックさせる、請求項２７に記載のシステム。
【発明の詳細な説明】
【技術分野】
【０００１】
本開示は、デバイスの衛生化を管理するためのシステム及び方法に関し、より具体的には、電気光学的放射線を使用して、複数の管理された電子デバイスをシステム的に衛生化するためのシステム及び方法に関する。
【図面の簡単な説明】
【０００２】
本開示は、本明細書で開示される実施形態のより詳細な説明を提供する添付図面を含み、参照する。しかしながら、本開示は、図面に示される特定の実施形態に限定されない。本開示の教示は、他の実施形態に利用すること及び／若しくは適合させることができ、並びに／又は、本開示の範囲から逸脱することなく、開示される実施形態に対して変更を行うことができる。
【図１】衛生化管理システムの一実施形態の概略ブロック図である。
【図２】メタデータ相関ルールを監視する実施形態を示す図である。
【図３】衛生化ポリシーの実施形態を示す図である。
【図４Ａ】衛生化ステーションの一実施形態の概略ブロック図である。
【図４Ｂ】衛生化ステーションの更なる実施形態を示す図である。
【図４Ｃ】衛生化ステーションの更なる実施形態を示す図である。
【図５】衛生化ステーションの更なる実施形態を示す図である。
【図６】衛生化システムの管理インターフェースの一実施形態を示す図である。
【図７Ａ】衛生化ステーションを管理するためのインターフェースの一実施形態を示す図である。
【図７Ｂ】衛生化ステーションを構成するためのインターフェースの一実施形態を示す図である。
【図７Ｃ】衛生化ステーションを構成するためのインターフェースの別の実施形態を示す図である。
【図７Ｄ】衛生化ステーションを構成するためのインターフェースの別の実施形態を示す図である。
【図８Ａ】衛生化システムにおいてポータブルデバイスを管理するためのインターフェースの一実施形態を示す図である。
【図８Ｂ】衛生化管理のためのポータブルデバイスを登録するためのインターフェースの一実施形態を示す図である。
【図９】衛生化システム内で管理されるポータブルデバイスのためのインターフェースの一実施形態を示す図である。
【図１０】デバイスの衛生化を管理するための方法の一実施形態のフロー図である。
【図１１】デバイスの衛生化を管理するための方法の別の実施形態のフロー図である。
【図１２】デバイスの衛生化を管理するための方法の別の実施形態のフロー図である。
【発明を実施するための形態】
【０００３】
産業界は、タスクを行う、情報をアクセス収集する及び情報にアクセスする、情報を入力及び更新する、並びに／又は同類のことを行うために、一般的に、ポータブル電子デバイスなどのポータブルデバイス（portable device、ＰＤ）に依存する。ＰＤは、組織のメンバーが、接続を保持しながら、自由に移動することを可能にする。例えば、ヘルスケアの専門家は、ＰＤを使用して、とりわけ、患者を診察する、患者を治療する、患者情報を入力する、患者記録にアクセスする、患者記録を更新する、診察結果を記録する、治療結果を記録する、患者診断を記録する、調査を行う、処方箋を出す、などを行うことができる。しかしながら、ＰＤの表面は、使用中に、汚染される場合がある。ＰＤは、有毒物質、放射性物質、毒物、アレルゲン、及び／又は同類のものなどの有害な材料によって汚染される場合がある。ＰＤはまた、微生物、病原体、ウイルス、細菌、及び／又は同類のものなどの潜在的に有害な微生物によっても汚染される場合がある。デバイスの汚染は、ＰＤがヘルスケア関連のタスクに使用される（例えば、ＰＤが有害な微生物に曝露される可能性がある、医院、病院、又は別の介護施設において使用される）ときに、特に問題となる。したがって、デバイスの衛生化を管理するための、特に、組織内でＰＤの衛生化をシステム的に管理するためのシステム、方法、及び装置が必要とされる。
【０００４】
本明細書では、ポータブル電子デバイスを衛生化するための装置の実施形態を開示し、この装置は、ポータブル電子デバイスを受容するように構成された内部区画を備えるエンクロージャと、内部区画へのアクセスを提供するための前面パネルであって、紫外放射線を透過する内面を備える、前面パネルと、前面パネルをエンクロージャの底壁に連結するヒンジであって、前面パネルは、ヒンジの固定回転軸を中心にエンクロージャに対して回転し、前面パネルは、開位置と閉位置との間で選択的に回転する、ヒンジと、を備える。前面パネルが閉位置にあるとき、前面パネルの内面は、ポータブル電子デバイスを起こした位置に固定するように構成することができ、前面パネルが開位置にあるとき、前面パネルの内面は、ポータブル電子デバイスを倒した位置に支持するように構成することができる。本装置は、電気光学的放射線を内部区画に放出するように構成された１つ以上のエミッタを更に備えることができ、少なくとも１つのエミッタは、前面パネルの内面を通して電気光学的放射線を内部区画の中へ放出するように構成される。前面パネルは、開位置と閉位置との間を回転する間、ポータブル電子デバイスを安定させるように構成することができる。前面パネルは、ポータブル電子デバイスを安定させるための、紫外放射線を妨げないガイド構造を更に備えることができる。前面パネルは、ポータブル電子デバイスを安定させるように構成されたスロット、溝、及び／又は高摩擦面を含むことができる。起こした位置において、ポータブル電子デバイスは、前面パネルがポータブル電子デバイスを起こした位置に支持するように、エンクロージャの底壁に対してある角度に位置付けることができる。エンクロージャは、壁に装着するように構成することができる。
【０００５】
ポータブル電子デバイスを衛生化するための装置の別の実施形態は、ポータブル電子デバイスを受容するように構成された内部区画を備えるエンクロージャと、電気光学的放射線を内部区画の中へ放出するように構成された１つ以上のエミッタと、複数のポータブル電子デバイスの各々の実質的に表面全体が１つ以上のエミッタによって放出される電気光学的放射線に曝露されるように、複数のポータブル電子デバイスを保持するように構成された支持体と、ユーザからのタッチレス入力を受信するためのインターフェースと、タッチレスユーザ入力に応答してエンクロージャを開くためのアクチュエータと、を備えることができる。支持体は、内部区画へのアクセスを提供するための前面パネルを備えることができ、前面パネルは、紫外放射線を透過する内面を備える。本装置は、前面パネルをエンクロージャの底壁に連結するヒンジを更に備えることができ、前面パネルは、ヒンジの固定回転軸を中心にエンクロージャに対して回転し、前面パネルは、開位置と閉位置との間で選択的に回転する。インターフェースは、外部運動を検出するためのセンサを備えることができ、アクチュエータは、センサが特定の外部の場所における事前定義した運動及び／又は運動を検出したときにエンクロージャを開くように構成することができる。アクチュエータは、ポータブル電子デバイスに入力されたユーザ命令に応答してエンクロージャを開くように構成することができる。
【０００６】
本明細書では、複数のポータブル電子デバイスを衛生化するためのシステムの実施形態を開示し、このシステムは、衛生化ステーションと、複数のポータブル電子デバイス及び衛生化ステーションと通信するサーバと、を備える。衛生化ステーションは、複数のポータブル電子デバイスのうちの少なくとも１つを受容するように構成された内部区画を備えるエンクロージャと、電気光学的放射線を内部区画の中へ放出するように構成された１つ以上のエミッタと、を備える。サーバは、プロセッサと、命令を記憶させた非一時的コンピュータ可読媒体とを備えることができ、この命令は、プロセッサによって実行されたときに、サーバに、複数のポータブル電子デバイスのうちの１つを衛生化する必要性をユーザに警告するための動作を行わせ、この動作は、複数のポータブル電子デバイスの各々の１つ以上の状態を監視することと、１つ以上の１つ以上の状態に基づいて、第１のポータブル電子デバイスが１つ以上の衛生化ルールに従う衛生化を必要とすることを判定することと、衛生化ステーションを使用することによって衛生化動作を行うようにユーザに命令することと、を含む。衛生化ステーションは、それによって衛生化されているポータブル電子デバイスを識別するためのデバイス検出器を備えることができる。衛生化ステーションは、それによって衛生化されているポータブル電子デバイスを識別するための信号を送信するための送信機を更に含むことができる。サーバは、それぞれのポータブル電子デバイスに行われる衛生化動作をロギング及び／又は監査するように構成することができる。サーバは、１つ以上の衛生化ルールに従って、ポータブル電子デバイスに関連する衛生化ポリシー違反をロギング及び／又は監査するように更に構成することができる。監視される状態としては、それぞれのポータブル電子デバイスに最後の衛生化を行ってからの時間、それぞれのポータブル電子デバイスに入力した、アクセスした、更新した、調査した、及び／又は記録した患者の症状、それぞれのポータブル電子デバイスの近くの患者、それぞれのポータブル電子デバイスの場所（複数可）、など、を挙げることができるが、これらに限定されない。ユーザに指示することは、信号を第１の電子デバイスに送信することを含むことができ、この信号は、第１のポータブル電子デバイスに、（例えば、警報を表示する、音を発する、デバイスをロックする、及び／又は同類のことによって）衛生化の必要性をユーザに警告するように構成される。
【０００７】
図１は、衛生化管理システム１００の一実施形態の概略ブロック図である。衛生化管理システム１００は、衛生化マネージャ１１０と、１つ以上の衛生化ステーション１５０と、を備えることができる。開示される衛生化管理システム１００は、１つ以上のポータブルＰＤ１８０（例えば、図１に例示されるＰＤ１８０Ａ〜Ｎ）の衛生化を管理するように構成することができる。衛生化マネージャ１１０、衛生化ステーション（複数可）１５０、及びＰＤ１８０は、１つ以上の通信ネットワーク１０２を介して通信的に連結することができる。衛生化マネージャ１１０は、それぞれのＰＤ１８０に関連する衛生化ポリシーを実施、監査、及び／又は施行するように構成することができ、これは、ａ）ＰＤ１８０を衛生化マネージャ１１０に登録することと、ｂ）ＰＤ１８０を監視することと、ｃ）登録されたＰＤ１８０が（ＰＤ１８０の監視に基づいて）特定の衛生化ポリシーに適合することを確実にすることと、を含むことができる。衛生化マネージャ１１０は、衛生化管理サーバ１１１と、非一時的データストア１１４と、を備えることができる。衛生化管理サーバ１１１は、処理構成要素、メモリ構成要素、非一時的記憶構成要素、ヒューマン−マシンインターフェース（human-machine interface、ＨＭＩ）構成要素、通信インターフェース構成要素、及び／又は同類のもの（例示される実施形態の詳細を不明瞭にすることを回避するために図１に図示せず）を含む、コンピューティングデバイスを備えること、及び／又はそれによって具現化することができる。処理構成要素としては、回路、チップ、パッケージ、マイクロプロセッサ、マイクロコントローラ、中央演算処理装置、汎用処理ユニット、特殊処理ユニット、処理回路、論理回路、集積回路（integrated circuit、ＩＣ）、システムオンチップ（System on a Chip、ＳｏＣ）、プログラマブルシステムオンチップ（Programmable System on a Chip、ＰｓｏＣ）、システムインパッケージ（System in Package、ＳｉＰ）、特定用途向け集積回路（Application-specific Integrated Circuit、ＡＳＩＣ）、構成可能な回路、プログラマブル回路、フィールドプログラマブルゲートアレイ（Field Programmable Gate Array、ＦＰＧＡ）、コンプレックスプログラマブルロジックデバイス（Complex Programmable Logic Device、ＣＰＬＤ）、プログラマブル論理アレイ（Programmable Logic Array、ＰＬＡ）、及び／又は同類のものを挙げることができるが、これらに限定されない。メモリ構成要素としては、キャッシュメモリ、揮発性メモリ、ランダムアクセスメモリ（Random-Access Memory、ＲＡＭ）、ダイナミックＲＡＭ（Dynamic RAM、ＤＲＡＭ）、スタティックＲＡＭ（Static RAM、ＳＲＡＭ）、サイリスタＲＡＭ（Thyristor RAM、ＴＲＡＭ）、ゼロ−キャパシタＲＡＭ（Zero-capacitor RAM、ＺＲＡＭ）、及び／又は同類のものを挙げることができるが、これらに限定されない。非一時的記憶構成要素としては、非一時的記憶デバイス、非一時的メモリデバイス、固体メモリ、ハードディスク、磁気ディスク記憶デバイス、光記憶デバイス、テープ記憶デバイス、フラッシュメモリ、ＮＡＮＤ型フラッシュメモリ、ＮＯＲ型フラッシュメモリ、プログラマブルメタライゼーションセルメモリ（Programmable Metallization Cell、ＰＭＣ）、シリコン−酸化物−窒化物−酸化��−シリコン（Silicon-Oxide-Nitride-Oxide-Silicon、ＳＯＮＯＳ）メモリ、抵抗ＲＡＭ（Resistive RAM、ＲＲＡＭ）メモリ、浮遊接合ゲートＲＡＭ（Floating Junction Gate RAM、ＦＪＧ  ＲＡＭ）、強誘電体メモリ（ferroelectric memory、ＦｅＲＡＭ）、磁気抵抗メモリ（magnetoresistive memory、ＭＲＡＭ）、相変化メモリ（phase change memory、ＰＲＡＭ）、電気的消去可能プログラマブルリードオンリーメモリ（Electrically Erasable Programmable Read-Only Memory、ＥＥＰＲＯＭ）、キャッシュ記憶デバイス、リモート記憶デバイス、ネットワークアタッチトストレージ（Network Attached Storage、ＮＡＳ）デバイス、及び／又は同類のものを挙げることができるが、これらに限定されない。ＨＭＩ構成要素としては、キーボード、ポインタ、及び／又はジェスチャデバイスなどの入力／出力デバイス（例えば、マウス、タッチパッド、タッチディスプレイ、及び／又は同類のもの）、カメラ、ディスプレイデバイス、モニタ、オーディオ取り込みチャデバイス、オーディオ出力デバイス、触覚フィードバックデバイス、及び／又は同類のものを挙げることができるが、これらに限定されない。ネットワークインターフェース構成要素としては、ネットワークインターフェースデバイス、ネットワークインターフェースポート、ネットワークインターフェースカード、ネットワークインターフェースポート、コミュニケーションバス、通信ドライバ、及び／又は同類のものを挙げることができるが、これらに限定されない。
【０００８】
上で開示したように、衛生化マネージャ１１０は、（モニタ１１２の使用によって）ネットワーク（複数可）１０２を介して、それぞれのＰＤ１８０に関連する監視メタデータ１１３を受信することができる。監視メタデータ１１３は、とりわけ、非一時的データストア１１４内に保持することができる。衛生化マネージャ１１０は、監視メタデータ１１３を使用して、それぞれのＰＤ１８０の衛生化を管理することができ、この管理は、ａ）それぞれのＰＤ１８０の「状態」（例えば、ＰＤ１８０の衛生化状態）を判定することと、ｂ）判定した状態に基づいて衛生化ポリシー１１９を評価することと、ｃ）とりわけＰＤ１８０が衛生化ポリシー１１９に準拠することを確実にするように構成された、ＰＤ１８０の対応する衛生化管理データ１３３を生成することと、を含むことができる。本明細書で更に詳細に開示されるように、ＰＤ１８０の「状態」は、とりわけ、ＰＤ１８０に行った最後の衛生化動作、最後の衛生化動作から経過した時間、最後の衛生化動作以来のＰＤ１８０の使用、最後の衛生化動作以来のＰＤ１８０の場所（複数可）、明確な衛生化要求（例えば、ＰＤ１８０の衛生化を必要とする要求）、などに対応することができる。衛生化マネージャ１１０は、衛生化ポリシーマネージャ１１６を備えることができ、これは、ＰＤ１８０の監視メタデータ１１３を分析して、とりわけ、ＰＤ１８０の状態を判定するように、及び衛生化ポリシー１１９（及び判定した状態）に基づいてＰＤ１８０の衛生化スケジュールを決定するように構成することができる。
【０００９】
衛生化マネージャ１１０は、ＰＤ１８０の判定した状態及び／又は衛生化ポリシー１１９に基づいて、ＰＤ１８０に対する衛生化動作を開始するように更に構成することができる。衛生化マネージャ１１０は、ネットワーク１０２を介して衛生化メッセージをＰＤ１８０に発行すること、ネットワーク１０２を介して衛生化指令をＰＤ１８０に発行すること、衛生化スケジュールをＰＤ１８０に送信すること、ＰＤ１８０に（例えば、ＰＤ１８０をロックすることによって）衛生化動作を実施するよう強制すること、及び／又は同類のこと、が挙げられるが、これらに限定されない、任意の好適な機構を使用して、ＰＤ１８０に対する衛生化動作を開始することができる。
【００１０】
いくつかの実施形態において、衛生化マネージャ１１０は、管理クライアント１１８を備えることができる。管理クライアント１１８は、「スマート」ＰＤ１８０上で動作するように構成することができる。本明細書で使用するとき、「スマート」ＰＤ１８０は、１つ以上のアプリケーション（例えば、図１のＰＤ１８０Ａ及び１８０Ｎ）を動作させる、及び／又はホストすることができるＰＤ１８０を指す。スマートＰＤ１８０は、ポータブルコンピューティングデバイスを備えることができ、これは、本明細書で開示されるように、処理構成要素、メモリ構成要素、非一時的記憶構成要素、ネットワークインターフェース構成要素、ＨＭＩ構成要素、及び／又は同類のものを備えることができる。管理クライアント１１８は、アプリケーション、ユーザレベルアプリケーション、カーネルレベルアプリケーション、ドライバ、ファームウェア、ブート画像、及び／又は同類のもののうちの１つ以上として具現化すること、及び／又はそれを備えることができる。いくつかの実施形態において、管理クライアント１１８は、衛生化管理サーバ１１１上でホストすること、及び／又は衛生化マネージャ１１０によってＰＤ１８０に送達することができる。衛生化マネージャ１１０及び／又は管理クライアント１１８は、管理クライアント１１８の完全性を確実にするために、及び／又は管理クライアント１１８が使用不能になること防止するために、１つ以上のセキュリティ対策を備えることができる。そのようなセキュリティ対策としては、ＰＤ１８０のオペレーティングシステム、カーネル、ブート画像、及び／又はファームウェアを管理クライアント１１８に埋め込むこと、保護された構成要素（例えば、カーネルレベルアプリケーション、ドライバ、又は同類のもの）として管理クライアント１１８を実装すること、管理クライアント１１８のコード署名を保持すること、管理クライアント１１８を備える命令を認証すること、管理クライアント１１８及び／又は同類のものを有する安全な暗号のチャレンジレスポンスプロトコルを実装すること、を挙げることができるが、これらに限定されない。
【００１１】
管理クライアント１１８は、ＰＤ１８０の衛生化状態に関連する情報及び／又はＰＤ１８０に関連する衛生化ポリシー１１９を受信及び／又は表示するように構成することができる。そのような情報としては、ＰＤ１８０の衛生化スケジュール（例えば、次に衛生化動作を行うべきときまでの時間）、衛生化期限（例えば、ＰＤ１８０に次の衛生化動作を行われなければならない時間）、衛生化コマンド又は指令（例えば、ＰＤ１８０への即座の衛生化を必要とする旨の通知）、及び／又は同類のこと、を挙げることができるが、これらに限定されない。管理クライアント１１８は、衛生化メッセージの表示がＰＤ１８０の動作を中断するように、特定の衛生化メッセージを介在的に及び／又はモーダルに表示するように構成することができる。ＰＤ１８０のユーザ１８２は、管理クライアント１１８がＰＤ１８０の通常動作の再開を可能にする前に、衛生化メッセージ（又はＰＤ１８０を衛生化することなどのいくつかの他のアクションを行うこと）を承認するように要求することができる。いくつかの実施形態において、特定の衛生化メッセージは、ＰＤ１８０が動作することを防止する（例えば、ＰＤ１８０上の衛生化動作を行うことなどの特定のアクションが行われるまで、ＰＤ１８０をロック及び／又はパワーダウンする）ことができる。管理クライアント１１８は、非侵入様態で（例えば、ＰＤ１８０の動作を中断しない方法で）の他の衛生化メッセージを表示することができる。そのような衛生化メッセージは、バックグラウンド通知、非モーダルプロンプト、及び／又は同類のものとして表示することができる。
【００１２】
衛生化マネージャ１１０は、「ダム（dumb）」ＰＤ１８０の衛生化を管理するように更に構成することができる。本明細書で使用するとき、「ダム」ＰＤ１８０は、（例えば、聴診器、反射槌、パルス酸素測定デバイス、記録デバイス、表記デバイス、及び／又は同類のものを備えることができる）管理クライアント１１８を動作させる、及び／又はホストすることができる（及び／又はそのように構成された）ＰＤ１８０を指す。図１に示されるＰＤ１８０Ｂは、ダムＰＤ１８０を備えることができる。ＰＤ１８０Ｂは、本明細書で開示されるように、デバイス識別子１８１を割り当てる（及びユーザ１８２Ｂと関連付ける）ことができる。
【００１３】
衛生化ステーション１５０は、ＰＤ１８０に衛生化動作を行うように構成することができる。ＰＤ１８０に衛生化動作を行うことは、衛生化ステーション１５０の内部区画内にＰＤ１８０を取り囲むことと、取り囲まれたＰＤ１８０に衛生化動作を行うように衛生化ステーション１５０を構成することと、を含むことができる。衛生化マネージャ１１０からの衛生化メッセージに応答して、それぞれのＰＤ１８０に衛生化動作を行うようにユーザ１８２に促すことができる。いくつかの実施形態において、衛生化ステーションは、それぞれの識別子１５１を備え、及び／又は割り当てられ、かつ持続的な構成及び／又はロギング情報１５３を保持するように構成される。持続的な構成及び／又はロギング情報は、衛生化ステーション１５０の構成を含むことができ、これとしては、衛生化ステーション識別子１５１、名前、場所、状況、保守履歴、衛生化記録、及び／又は同類のものを挙げることができるが、これらに限定されない。
【００１４】
衛生化管理サーバ１１１は、モニタ１１２を更に備えることができ、これは、とりわけ、それぞれのＰＤ１８０に関連する監視メタデータ１１３を取り込むように構成することができる。モニタ１１２は、とりわけ、１つ以上のモニタユニット１２０Ａ〜Ｎの使用によって、ＰＤ１８０に関連する監視メタデータ１１３を取り込むことができる。モニタユニット１２０Ａ〜Ｎは、特定の種類の監視メタデータ１１３を取り込むように、及び／又は特定のＰＤ１８０に関連する監視メタデータ１１３を取り込むように構成することができる。モニタユニット１２０Ａ〜Ｎは、（１つ以上の通信ネットワーク１０２を介して）それによって得られた監視メタデータ１１３を衛生化マネージャ１１０に通信するように更に構成することができる。代替的に、又は加えて、モニタユニット１２０Ａ〜Ｎは、監視メタデータ１１３を非一時的記憶装置に記録するように構成することができ、この監視メタデータは、非一時的記憶装置から衛生化マネージャ１１０によってプルすることができる。
【００１５】
図１の実施形態のモニタユニット１２０Ａ〜Ｎは、ヘルスケアシステム（health care system、ＨＣＳ）モニタ１２０Ｎなどを含む、デバイスモニタ１２０Ａ、電子監視デバイス１２０Ｂ、衛生化ステーションモニタ１２０Ｃ、ネットワークモニタ１２０Ｄ、建物モニタ１２０Ｅ、など、を挙げることができるが、これらに限定されない。モニタ１１２は、相関モニタユニット１２０Ｘを更に備えることができ、これは、他のモニタユニット１２０Ａ〜Ｎによって取り込まれた監視メタデータ１１３から監視メタデータ１１３を導出するように構成することができる。本明細書で更に詳細に開示されるように、衛生化管理サーバ１１１は、それぞれのＰＤ１８０の衛生化管理データ１３３を生成するように構成することができ、これは、（ＰＤ１８０の判定した衛生化状態に基づいて）ＰＤ１８０が衛生化ポリシー１１９に準拠することを確実にするように構成することができる。衛生化管理データ１３３は、１つ以上のＰＤ１８０の衛生化状態を示すように、それぞれのＰＤ１８０を衛生化する役割を果たすユーザ（複数可）１８２を識別するように、（例えば、近くの衛生化ステーション１５０に対応するマップ及び／又はナビゲーションリンクを備えることができる）ＰＤ１８０を衛生化する際に使用するための衛生化の場所（複数可）１５０を示すように、指定された時間までに特定のＰＤ１８０を衛生化するよう要求するように、特定のＰＤ１８０の即座の衛生化を要求するように、及び／又は同類のように構成された、衛生化メッセージを含むことができる。衛生化管理データ１３３は、１つ以上のモニタユニット１２０Ａ〜Ｎ、衛生化ステーション１５０、ユーザ１８２、ＰＤ１８０、通信デバイス１８３、及び／又は同類のものに送信することができる。衛生化管理データ１３３は、テキスト通信データ、音声通信データ、視覚通信データ、触覚フィードバックデータ、Ｅメール通信データ、ハイパーテキスト転送プロトコル（Hyper Text Transfer Protocol、ＨＴＴＰ）通信データ（例えば、ハイパーテキストマークアップランゲージ（Hyper Text Markup Language、ＨＴＭＬ）フォーマットのデータ）、ファームウェア、デバイス構成データ、アプリケーション構成データ、実行コード、コンピュータ実行可能命令、認証証明書（複数可）、及び／又は同類のもの、が挙げられるが、これらに限定されない、任意の好適な電子データを備えることができる。衛生化管理データ１３３（及び／又はその一部分）は、モニタユニット（複数可）１２０Ａ〜Ｎ、ＰＤ１８０（例えば、管理クライアント１１８の使用によって）、１つ以上の通信デバイス１８３、及び／又は同類のもののうちの１つ以上に表示するように構成することができる。代替的に、又は加えて、衛生化管理データ１３３は、ＰＤ１８０に衛生化管理動作を行わせるように構成された、構成データ及び／又は命令を備えることができ、これらとしては、（ＰＤ１８０の判定した衛生化状態及び／又は衛生化ポリシー１１９に従って）ＰＤ１８０の衛生化スケジュールを示すこと、衛生化メッセージを表示すること、「モーダル」衛生化メッセージ（例えば、ユーザ１８２が通常作動を再開する前に相互作用しなければならないメッセージ）を実施すること、可聴通知及び／又は警報を提示すること、ＰＤ１８０をロックすること、及び／又は同類のこと、を挙げることができるが、これらに限定されない。
【００１６】
デバイスモニタ１２０Ａは、それぞれのＰＤ１８０に取り付けられるように、及び／又はＰＤ１８０上で動作するように構成することができる。いくつかの実施形態において、上で開示したように、デバイスモニタ１２０Ａは、管理クライアント１１８の構成要素を備える。そのような実施形態において、デバイスモニタ１２０Ａは、特定の「スマート」ＰＤ１８０に関連する情報を取り込むように構成することができる。そのような情報としては、デバイス識別子１８１（例えば、特定のＰＤ１８０に割り当てられた一意の識別子）、ＰＤ１８０のユーザ１８２に関連する情報（例えば、ユーザ識別子、役割、スケジュール、及び／又は同類のもの）、ＰＤ１８０とのユーザインタラクションに関連する情報、ＰＤ１８０のＨＭＩ構成要素に対するユーザ入力、ＰＤ１８０上で動作する他のアプリケーション（複数可）１８４とのユーザインタラクション、ＰＤ１８０においてアクセスした、更新した、記録した、検索した、及び／又は取り出した情報、ＰＤ１８０の場所（複数可）（例えば、ＰＤ１８０の場所センサによって取り込んだ情報）、など、を挙げることができるが、これらに限定されない。代替的に、又は加えて、デバイスモニタ１２０Ａは、ＰＤ１８０Ｂなどの「ダム」ＰＤ１８０を監視するように構成することができる。そのような実施形態において、デバイスモニタ１２０Ａは、ＰＤ１８０に関連する情報を他のモニタユニット１２０Ｂ〜Ｎに報告するように構成することができる。デバイスモニタ１２０Ａは、例えば、「ダム」ＰＤ１８０のデバイス識別子１８１を通信するように構成されたＲＦＩＤタグを備えることができる。代替的に、又は加えて、ＰＤ１８０は、電子監視デバイス１２０Ｂによって監視することができ、これは、本明細書で開示されるように、ＰＤ１８０に関連する監視データを取得するように構成することができる。電子監視デバイス１２０Ｂは、別個の独立した（例えば、それによって監視されているＰＤ１８０とは別個の）デバイスとして具現化することができる。図１に例示されるように、電子監視デバイス１２０Ｂは、「ダム」ＰＤ１８０Ｂを監視するように構成することができる。電子監視デバイス１２０Ｂは、電子監視デバイス１２０ＢをＰＤ１８０Ｂに物理的に取り付ける及び／又は連結するための取り付け部材１９０を備えることができる。いくつかの実施形態において、取り付け部材１９０は、電子監視デバイス１２０ＢがＰＤ１８０Ｂ（例えば、ロックを備え得る）から取り外される及び／又は連結解除されるのを防止するように構成される。電子監視デバイス１２０Ｂは、本明細書で開示されるように、プロセッサ１９１、メモリ１９２、非一時的記憶装置１９３、ＨＭＩ構成要素１９４、ネットワークインターフェース構成要素１９５、及び／又は同類のものを備えることができる。ネットワークインターフェース構成要素１９５は、本明細書で開示されるように、電子監視デバイス１２０Ｂを、ネットワーク（複数可）１０２、衛生化マネージャ１１０、衛生化管理サーバ１１１、及び／又はヘルスケア管理システム１０３に通信的に連結するように構成することができる。非一時的記憶装置１９３は、本明細書で開示されるように、プロセッサ１９１に動作を行わせるように構成された命令を備えることができる。非一時的記憶装置１９３は、監視されているＰＤ１８０に関連する情報を更に含むことができる。図１の実施形態において、非一時的記憶装置１９３は、ＰＤ１８０Ｂのデバイス識別子１８１を備える。電子監視デバイス１２０Ｂは、ＨＭＩ構成要素１９４及び／又は監視ユニット１９６の使用によって監視データを取得するように構成することができる。監視ユニット１９６としては、場所センサ（例えば、ＧＰＳデバイス、ＲＦＩＤリーダ、及び／又は同類のもの）、デバイスモニタ（例えば、加速度計、放射線検出器、及び／又は同類のもの）など、を挙げることができるが、これらに限定されない。電子監視デバイス１２０Ｂは、監視ユニット１９６の使用によってＰＤ１８０Ｂに関連する監視情報を取得するように構成することができ、及び／又はＨＭＩ構成要素１９４の１つ以上の使用によって情報を監視するようにユーザ１８２に促すことができる。電子監視デバイス１２０Ｂは、ネットワーク１０２を介して、取り込んだ監視情報を衛生化マネージャ１１０に通信するように、及び／又は非一時的記憶装置１９３に関する監視情報を記録するように構成することができる。電子監視デバイス１２０Ｂは、衛生化管理情報を受信するように更に構成することができる。
【００１７】
衛生化ステーションモニタ１２０Ｃは、それぞれの衛生化ステーション１５０において行った衛生化動作に関連する監視メタデータ１１３を取り込むように構成することができる。いくつかの実施形態において、各衛生化ステーション１５０は、それぞれの衛生化ステーションモニタ１２０Ｃを備えること、及び／又はそれに通信的に連結することができる。衛生化ステーションモニタ１２０Ｃは、それぞれの衛生化ステーション１５０において行った衛生化動作に関連する監視メタデータ１１３を取り込むことができる。したがって、衛生化ステーションモニタ１２０Ｃによって取り込まれた監視メタデータ１１３は、衛生化記録を備えることができ、各衛生化記録は、指定されたＰＤ１８０が特定の時間に指定された衛生化ステーション１５０において衛生化されたことを示す。衛生化記録は、ＰＤ１８０のデバイス識別子１８１、衛生化ステーション１５０の識別子１５１、衛生化ステーション１５０によって保持されている構成及び／又はロギング情報１５３、衛生化ステーション１５０の場所、衛生化動作を行ったユーザ１８２の識別子、衛生化動作の持続時間、衛生化動作のタイプ（例えば、クイック、標準、ディープ、又は同類のもの）、衛生化動作が完全に完了したかどうかの指示、衛生化動作が開始された時間、衛生化動作が完了した時間、ＰＤ１８０及び／又は衛生化ステーション１５０に関連する診断、認証証明書、署名、並びに／又は同類のもの、を更に含むことができる。
【００１８】
ネットワークモニタ１２０Ｄは、ＰＤ１８０のネットワーク活動に関連する監視メタデータ１１３を取り込むように構成することができる。ネットワークモニタ１２０Ｄは、通信ネットワーク１０２の１つ以上に通信的に連結された１つ以上の電子監視デバイス１２０Ｂ、フィルタ、及び／又はアプリケーション１８４を備えることができる。ネットワークモニタ１２０Ｄは、スニファ、パケット取得デバイス、及び／又は同類のものなどの汎用ネットワークモニタを備えることができる。代替的に、又は加えて、ネットワークモニタ１２０Ｄは、ＰＤ１８０に及び／又はそこからネットワークトラフィックを受信、処理、及び／又はフォワードするように構成することができる、ネットワークプロキシサーバなどの他のネットワーク構成要素を備えること、及び／又はそこに通信的に連結することができる。ネットワークモニタ１２０Ｄによって取り込まれる監視メタデータ１１３としては、ＰＤ１８０のネットワーク活動、ＰＤ１８０によってアクセスした、更新した、記録した、検索した、及び／又は検索した情報、ＰＤ１８０のネットワークロケーション（複数可）（例えば、ＰＤ１８０及び／又はネットワークインターフェース構成要素１９５に割り当てられたネットワークアドレス）、など、を挙げることができるが、これらに限定されない。
【００１９】
建物モニタ１２０Ｅは、それぞれのＰＤ１８０（例えば、特定のオフィス、診察室、研究室、及び／又は同類のもの）の特定の建物の場所（複数可）に関連する監視メタデータ１１３を取り込むように構成することができる。建物モニタ１２０Ｅは、デバイスモニタ１２０Ａ及び／又はネットワークモニタ１２０Ｄよりも低いグラニュラリティで場所情報を取り込むように構成することができる。建物モニタ１２０Ｅは、ＢＬＵＥＴＯＯＴＨ（登録商標）通信デバイス、近距離無線通信（near-field communication、ＮＦＣ）通信デバイス、無線周波数識別子（radio frequency identifier、ＲＦＩＤ）デバイス、バーコードスキャナ、及び／又は同類のものなどの、１つ以上の低域通信デバイスを備えることができる。建物モニタ１２０Ｅは、そのようなＰＤ１８０が特定の建物の場所（例えば、部屋、オフィス、診察室、研究室、手術室、及び／又は同類のもの）に入ったとき、及び／又はそこを出たときに、ＰＤ１８０のデバイス識別子１８１を取り込むことができる。建物モニタ１２０Ｅは、ＰＤ１８０上の（及び／又はＰＤ１８０のディスプレイに提示される）バーコード及び／又はＱＲコードをスキャンすること、ＰＤ１８０上のＲＦＩＤタグを読み込むこと、並びにＢＬＵＥＴＯＯＴＨ（登録商標）、ＮＦＣ、及び／又は同類のものを介してデバイス識別子１８１を取り込むことが挙げられるが、これらに限定されない、任意の好適な機構を使用して、デバイス識別子１８１を取り込むことができる。建物モニタ１２０Ｅは、ＰＤ１８０が特定の場所に滞在した時間を監視する（例えば、ＰＤ１８０が特定の建物の場所に入った、及びそこを出た時間を追跡する）ように更に構成することができる。
【００２０】
ＨＣＳ検出装置１２０Ｎは、ヘルスケアア活動に関連する監視メタデータ１１３を取り込むように構成することができ、これとしては、ＰＤ１８０上でアクセスした、更新した、記録した、検索した、及び／又は、に検索したヘルスケア情報、ＰＤ１８０において行ったヘルスケア関連のタスク、ＰＤ１８０のユーザ１８２のスケジュールされたタスク、ヘルスケア管理システム１０３とのユーザインタラクション、及び／又は同類のものを挙げることができるが、これらに限定されない。ＨＣＳ検出装置１２０Ｎは、ヘルスケア管理システム１０３に組み込むことができる（例えば、ヘルスケア管理システム１０３のアドオン及び／又は構成要素を備えることができる）。代替的に、又は加えて、ＨＣＳ検出装置１２０Ｎは、衛生化マネージャ１１０、衛生化管理サーバ１１１、及び／又はＰＤ１８０上で動作するように構成することができる。衛生化マネージャ１１０及び／又は衛生化管理サーバ１１１上で動作するＨＣＳモニタ１２０Ｎは、ヘルスケア管理システム１０３によって保持されているＰＤ１８０及び／又はユーザ１８２に関連する情報にアクセスするように構成することができる（例えば、ヘルスケア管理システム１０３を使用するように構成された統合構成要素を備えることができる）。ＰＤ１８０上で動作するＨＣＳモニタ１２０は、ヘルスケア管理システム１０３のクライアント側構成要素（例えば、ＰＤ１８０上で動作するヘルスケア管理アプリケーション）とのユーザインタラクションを監視するように構成することができる。
【００２１】
いくつかの実施形態において、モニタ１１２は、それぞれのモニタユニット１２０Ａ〜Ｎによって取り込まれた監視メタデータ１１３から、追加の監視メタデータ１１３を識別及び／又は導出するように構成された相関モニタユニット１２０Ｘを備える。相関モニタユニット１２０Ｘは、相関ルールを備えることができ、これは、モニタユニット１２０Ａ〜Ｎによって取得した監視メタデータ１１３から追加の監視メタデータ１１３を識別及び／又は導出するための機構を定義することができる。
【００２２】
図２は、本明細書で開示されるように、モニタユニット１２０Ａ〜Ｎによって取得された監視メタデータ１１３から追加の監視メタデータ１１３を識別及び／又は駆動する際に使用するための相関ルール２１４の例示的な実施形態を示す。相関ルール２１４は、本明細書で開示されるように、衛生化マネージャ１１０の非一時的データストア１１４内に保持することができる。監視メタデータ１１３は、１つ以上のネットワーク（複数可）１０２を介して衛生化マネージャ１１０において受信すること、及び／又は非一時的データストア１１４内に記憶することができる。図２の実施形態の相関ルール２１４は、ソース、タイプ、及び時間（例えば、タイムスタンプ及び／又は時間枠）に関して定義することができる。ソースは、監視メタデータ１１３を取得したモニタユニット（複数可）１２０Ａ〜Ｎ、ＰＤ１８０、及び／又は監視メタデータ１１３が関係するユーザ１８２、などを識別することができる。一例として、相関ルール２１４は、特定の時間枠の間に、特定のユーザ１８２に関連する監視メタデータ１１３に関して動作することができる。相関ルール２１４は、とりわけ、ＨＣＳモニタ１２０Ｎを使用して、ユーザ１８２のスケジュール及び／又は指定された時間枠の間にユーザ１８２によって検査された患者にアクセスすることによって、決定されたユーザ１８２に基づく追加の監視メタデータ１１３を取得することができる。追加の監視メタデータ１１３は、ＰＤ１８０が、使用中に特定の汚染物質に曝露された（例えば、ユーザ１８２によって検査される患者が、特定の感染症と診断された）かどうかを示すことができる。別の相関ルール２１４は、ネットワークの場所情報（例えば、ネットワークモニタ１２０Ｄによって決定される、指定された時間枠の間のネットワークの場所）に関して動作することができる。相関ルール２１４は、ＨＣＳモニタ１２０Ｄを使用して、ネットワークの場所を、特定の場所及び／又は指定された時間枠の間に行われたヘルスケア関連のタスクと関連付けることができる。別の実施例において、相関ルール２１４は、（建物モニタ１２０Ｅによって決定される）特定の時間枠の間にＰＤ１８０の建物の場所を使用して、ＰＤ１８０の近くにいた患者（複数可）を識別することができ、これを使用して、ＰＤ１８０の追加の監視メタデータ１１３を導出することができる（例えば、識別された患者の医学的状態に基づいて、ＰＤ１８０が特定の汚染物質に曝露されたことを示すことができる）。更に別の実施例において、相関ルール２１４は、（ヘルスケア管理システム１０３から取得した、患者の訪問に関連する情報に基づく）患者の訪問中のＰＤ１８０の建物の場所を示す追加の監視メタデータ１１３によって、ＨＣＳモニタ１２０Ｎの使用によって取得した、患者の訪問に関連する監視メタデータ１１３を増強することができる。相関ルール２１４の特定の実施例を本明細書で説明しているが、本開示は、これに関して限定されるものではなく、モニタユニット１２０Ａ〜Ｎによって取得した監視メタデータ１１３から追加の監視メタデータ１１３を識別及び／又は導出するための任意の適切な技法を使用するように適合させることができる。
【００２３】
図１を再度参照すると、衛生化マネージャ１１０は、衛生化ポリシーマネージャ１１６を備えることができ、これは、ａ）（モニタ１１２の使用によって）ＰＤ１８０に関連する監視メタデータ１１３を取得するように、及びｂ）ＰＤ１８０に割り当てられた衛生化ポリシー１１９を評価して、とりわけ、ＰＤ１８０のＰＤ状態１１７を判定するように、構成することができる。衛生化マネージャ１１０は、ＰＤ１８０が衛生化ポリシー１１９に準拠することを確実にするように構成された１つ以上の管理アクションを実施するように更に構成することができる。管理アクションは、本明細書で開示されるように、ＰＤ１８０に関連する衛生化管理データ１３３を生成することを含むことができる。
【００２４】
図３は、ＰＤ１８０に関連する監視メタデータ１１３を使用して、ＰＤ１８０のＰＤ状態１１７を判定するように構成された衛生化ポリシーマネージャ１１６の一実施形態を示す。図３に例示されるように、衛生化ポリシーマネージャ１１６は、監視メタデータ１１３を受信することができる。監視メタデータ１１３は、本明細書で開示されるように、１つ以上のモニタユニット１２０Ａ〜Ｎによって取得した監視メタデータ１１３、並びに／又はそこから識別及び／若しくは導出された追加の監視メタデータ１１３を含むことができる。衛生化ポリシーマネージャ１１６は、監視メタデータ１１３を非一時的データストア１１４に集約するように構成することができ、これは、監視メタデータ１１３を組み合わせること、フィルタ処理すること、合体させること、分類すること、及び／又は別様に処理することを含むことができる。衛生化ポリシーマネージャ１１６は、特定のＰＤ１８０に関連する監視メタデータ１１３を使用して、（衛生化ポリシー１１９に基づいて）特定のＰＤ１８０のＰＤ状態１１７を判定することができる。ＰＤ状態１１７は、デバイス識別子１８１、ユーザ情報３８２、衛生化履歴情報３８４、衛生化状態情報３８６、など、が挙げられるが、これらに限定されない、ＰＤ１８０に関連する任意の好適な情報を含むことができる。ユーザ情報３８２は、ＰＤ１８０のユーザ１８２に関連する情報を含むことができ、これとしては、特定の時間枠の間のＰＤ１８０のユーザ１８２、ＰＤ１８０を保持するように割り当てられたユーザ１８２、ＰＤ１８０を衛生化するように割り当てられたユーザ１８２、ＰＤ１８０と関連付けられたユーザの役割、ＰＤ１８０に割り当てられた場所（複数可）、ＰＤ１８０に割り当てられた建物の場所（複数可）、ＰＤ１８０と関連付けられた組織的グループ、及び／又は同類のものを挙げることができるが、これらに限定されない。衛生化履歴情報３８４は、ＰＤ１８０に行った衛生化動作に関連する情報を含むことができ、これとしては、ＰＤ１８０の最後の衛生化（last sanitization time、ＬＳＴ）を含む、ＰＤ１８０に行った最後の衛生化動作に関連する情報、ＰＤ１８０を衛生化するために使用した衛生化ステーション（複数可）１５０に関連する情報、衛生化動作に関連する診断情報（例えば、衛生化記録）、及び／又は同類のものを挙げることができるが、これらに限定されない。ＰＤ１８０のＬＳＴは、衛生化ステーション１５０において衛生化ポリシーマネージャ１１６がＰＤ１８０の衛生化動作が成功裏に完了したことを確認したタイムスタンプを含むことができる。ＰＤ１８０の衛生化状態３８６は、ＰＤ１８０が衛生化ポリシー１１９に準拠するように要求される、今度の衛生化動作に関連する情報を含むことができる。衛生化状態３８６は、ＰＤ１８０に行われる次の衛生化動作のスケジュール（例えば、ＰＤ１８０の次の衛生化時時間（sanitization time、ＳＴ））、次の衛生化動作の優先順位、及びＰＤ１８０潜在的汚染に関連する情報（例えば、最後の衛生化動作ＰＤ１８０がＰＤ１８０に行われてからの潜在的汚染）、を含むことができるが、これらに限定されない。
【００２５】
ＰＤ状態１１７の衛生化優先順位は、ＰＤ１８０についてスケジュールされた次の衛生化動作の相対優先順位を示すことができる。衛生化優先順位は、低い衛生化優先順位（例えば、０）から高い衛生化優先順位（例えば、１００）の範囲とすることができる。低い衛生化優先順位は、ＰＤ１８０が現在衛生化ポリシー１１９に準拠している（例えば、将来の時間まで衛生化する必要がない）ことを示すことができる。より高い衛生化優先順位は、衛生化ポリシー１１９に従っていることが、衛生化動作を比較的すぐに行う必要がある（例えば、次の衛生化の時間が閾値未満である）ことを示すことができる。高い衛生化優先順位は、ＰＤ１８０を衛生化する期限を割り当てることができる。重要な衛生化優先順位は、ＰＤ１８０が衛生化ポリシー１１９に準拠しなくなった（例えば、次の衛生化動作が期限を過ぎた）ときに、ＰＤ状態１１７が、ＰＤ１８０が特定の汚染物質（例えば、ブドウ球菌）に曝露されたかもしれないことを示すときに、衛生化マネージャ１１０においてＰＤ１８０の衛生化を強制する要求を受信したときに、及び／又は同類のときに、割り当てることができる。
【００２６】
ＰＤ状態１１７の曝露情報は、（例えば、ＰＤ１８０のＬＳＴからの潜在的曝露に基づいた）本明細書で開示される監視メタデータ１１３のいずれかに基づくことができる。ＰＤ１８０の潜在的汚染に関連する情報としては、ＰＤ１８０と関連付けられたタスクに基づく、汚染に対する潜在的曝露（例えば、ＬＳＴからの、特定の細菌を培養するタスクなどのタスクを行っている間の曝露）に関連する情報、ＬＳＴからの、ＰＤ１８０の場所（複数可）（例えば、特定の診察室、研究室、患者の病室、及び／又は同類の場所）に基づく、汚染に対する潜在的曝露に関連する情報、ＬＳＴからの、患者の検査及び／若しくは治療に基づく、（例えば、その後に感染症などの特定の状態と診断された患者の診察及び治療中に、ＰＤ１８０を使用したことを示す）汚染に対する潜在的曝露に関連する情報、並びに／又は同類のものを挙げることができるが、これらに限定されない。
【００２７】
衛生化状態３８６は、ＰＤ１８０のための１つ以上のデバイス制限を更に指定することができる。本明細書で使用するとき、「デバイス制限」は、ＰＤ１８０の使用許可に関する制限を意味する。デバイス制限は、本明細書で更に詳細に開示されるように、ＰＤ１８０に関連する監視メタデータ１１３（例えば、ＬＳＴからの時間、汚染に対する潜在的曝露、など）、及び衛生化ポリシー１１９の制限ルールに基づいて決定することができる。デバイス制限は、タスク制限、場所制限、患者制限、患者状態制限、及び／又は同類、が挙げられるが、これらに限定されない、ＰＤ１８０の任意の好適な使用特性に関連し得る。タスク制限は、ＰＤ１８０が指定されたタスクに使用されることを防止するように構成することができる。場所制限は、ＰＤ１８０が特定の場所（複数可）から防止する（例えば、ＰＤ１８０が、易感染性免疫系を伴う患者を収容するために使用した病室に侵入することを防止する）ように構成することができる。患者及び／又は患者状態制限は、ＰＤ１８０が、特定の患者及び／又は指定された状態又は診断と関連付けられた患者を診察する、治療する、又は診断するために使用されることを防止するように構成することができる。制限ルールは、ＰＤ１８０が特定の衛生化状態３８６である間に（例えば、ブドウ球菌に対する潜在的曝露の後、及び／又は最長衛生化期間の有効期限の後に）、ＰＤ１８０が、特定のタスクのために、特定の場所（複数可）に、及び／又は特定の患者と共に使用されることを防止するように構成することができる。したがって、デバイス制限は、感染性の高い汚染物質に潜在的に曝露されたＰＤ１８０が、旧来の集団内に汚染物質を拡散させる可能性のある様態で使用されることを防止するように構成することができる。デバイス制限は、ＰＤ１８０を衛生化した後に解除することができる。
【００２８】
衛生化ポリシーマネージャ１１６は、ＰＤ１８０の現在のＰＤ状態１１７（該当する場合）、ＰＤ１８０に関連する監視メタデータ１１３、及び衛生化ポリシー１１９に基づいて、ＰＤ状態１１７を決定することができる。いくつかの実施形態において、衛生化ポリシーマネージャ１１６は、複数の異なる衛生化ポリシー１１９を備えることができ、これらは、（デバイス識別子１８１及び／若しくはユーザ情報３８２、役割、並びに／又は同類のものに基づいて）それぞれのＰＤ１８０、ユーザ１８２、役割、及び／又はグループに割り当てることができる。いくつかの実施形態において、衛生化ポリシーマネージャ１１６は、ＰＤ１８０に関連する監視メタデータ１１３を受信するかどうかにかかわらず、ＰＤ１８０のＰＤ状態１１７を定期的に更新する。代替的に、又は加えて、衛生化ポリシーマネージャ１１６は、（モニタ１１２を介して）ＰＤ１８０に関連する監視メタデータ１１３を受信することに応答して、ＰＤ１８０のＰＤ状態１１７を更新するように構成することができる。衛生化ポリシーマネージャ１１６は、ＰＤ１８０に割り当てられる衛生化ポリシー１１９に基づいて、ＰＤ１８０のＰＤ状態１１７を判定することができ、これとしては、推奨される衛生化期間、最長衛生化期間、ＬＳＴからの時間、曝露ルール、制限ルール、管理アクション、などを挙げることができるが、これらに限定されない。
【００２９】
推奨される衛生化期間は、ＰＤ１８０に関する衛生化動作間の推奨される時間（例えば、毎日、１時間ごと、１週間ごと、又は同類のもの）を指定することができる。最長衛生化期間は、衛生化動作間の最長時間を示すことができる。ＬＳＴからの時間は、ＰＤ１８０に関するＬＳＴから経過した時間に基づいて、それぞれの衛生化優先順位（例えば、０．．．Ｎ）を割り当てることができる。衛生化ポリシー１１９は、曝露ルールを更に備えることができ、この曝露ルールは、ＬＳＴから経過した時間に関係なく、ＰＤ１８０の衛生化をトリガする（及び対応する衛生化優先順位を割り当てる）ことができる。曝露ルールは、上で開示したように、ＰＤ１８０が使用されたタスク、ＰＤ１８０の場所、患者（複数可）、患者の診断、などに関連し得る。曝露ルールは、本明細書で開示されるように、ＰＤ１８０に関連する監視メタデータ１１３から判定される潜在的曝露に関連する。曝露ルールは、異なる衛生化優先順位を異なるそれぞれの潜在的曝露イベントに割り当てることができる。例えば、衛生化ポリシー１１９は、監視メタデータ１１３及び／又はＰＤ状態１１７が、ＰＤ１８０を使用して高い汚染可能性と関連付けられたタスク（例えば、感染症と診断された感染症患者の診察）を行ったことを示す場合に、ＰＤ１８０のＬＳＴに関係なく、ＰＤ１８０の衛生化状態３８６が、「汚染」に設定され、かつ（高い優先順位での）即座の衛生化をスケジュールすることを指定するタスクベースの曝露ルールを備えることができる。場所ベースの曝露ルールは、ＰＤ１８０のＬＳＴに関係なく、ＰＤ１８０を、特定の場所で使用した後に（例えば、特定の診察室、病室、研究室、及び／又は同類のもので使用した後に）、衛生化するように要求することができる。同様に、患者及び／又は診断ベースの曝露ルールは、ＬＳＴに関係なく、特定の患者に曝露された後及び／又は特定の状態の患者に曝露された後に、ＰＤ１８０を衛生化することを指定することができる。曝露ルールは、異なる衛生化優先順位を異なる曝露イベントに割り当てることができる。例えば、感染性の高い肉食性バクテリアを有する患者への潜在的曝露に関する曝露ルールは、ＰＤ１８０に関する「深い」衛生化動作が成功裏に完了するまでＰＤ１８０をロック及び／又は使用不能にするように構成される、最も高い衛生化優先順位（例えば、１００）を割り当てることができる。対照的に、より良性の疾患であると診断された患者への潜在的曝露に関連する曝露ルールは、より低い衛生化優先順位に対応することができる（例えば、次の衛生化動作のスケジュール時間を繰り上げるが、即座の衛生化を要求しないことができる）。
【００３０】
衛生化ポリシー１１９は、制限ルールを更に備えることができる。制限ルールを使用して、ＰＤ１８０のデバイス制限を決定することができる。上で開示したように、デバイス制限は、ＰＤ１８０が、指定された場所において、指定された患者と共に、及び／又は指定された状態を有する患者と共に、指定されたタスクに使用されることを防止するように構成することができる。制限ルールは、ＬＳＴからの時間に基づいて、１つ以上のデバイス制限をＰＤ１８０に課するように構成することができる。例えば、制限ルールは、ＰＤ１８０のための推奨される衛生化期間が期限切れになった場合に、ＰＤ１８０が、新生児クリニック内で使用されることを防止するように構成された、制限ルールを生成することができる。別の実施例において、制限ルールは、ＰＤ１８０が１つ以上の感染症と診断された患者に潜在的に曝露されたと判定することに応答して、ＰＤ１８０が、易感染性免疫系を有する患者と共に使用されることを防止するための制限ルールを生成することができる。
【００３１】
衛生化ポリシー１１９は、ＰＤ１８０の予測使用パターンに従って衛生化状態３８６を適合させるように更に構成することができる。例えば、ＰＤ１８０は、易感染性免疫系を有する患者を看護するように割り当てられたユーザ１８２に提供することができる。したがって、ユーザ１８２に割り当てられた衛生化ポリシー１１９は、任意の潜在的曝露イベント（例えば、本明細書で開示すれるように、タスク、場所、患者、及び／又は診断による曝露）の後に、ＰＤ１８０の即座の衛生化を要求することができる。更に、衛生化ポリシー１１９の制限ルールは、ＰＤ１８０が衛生化されるまで、ＰＤ１８０が患者と共に使用されることを防止することができる。概ね健康である患者と共に作業するように割り当てられた異なるユーザ１８２に割り当てられた衛生化ポリシー１１９は、衛生化間のより長い期間を可能にすることができ、より低い優先順位を潜在的曝露イベントに割り当てる（及びより寛大な制限ルールを指定する）曝露ルールを備えることができる。
【００３２】
いくつかの実施形態において、衛生化ポリシーマネージャ１１６は、時間ベースのポリシー考慮事項と曝露ベースのポリシー考慮事項とを比較検討及び／又は組み合わせて、ＰＤ１８０の全体的な衛生化状態３８６を判定する（例えば、ＰＤ１８０の次の衛生化及び衛生化優先順位を決定する、デバイス制限を課す、など）ように構成することができる。いくつかの実施形態において、衛生化ポリシーマネージャ１１６は、１つ以上の曝露ルールに基づいて、ＰＤ１８０に割り当てられる時間ベースの衛生化優先順位を上げる（例えば、１つ以上の曝露イベントに応答して、ＰＤ１８０の衛生化優先順位を上げる、及び／又は推奨される衛生化期間を減少させる）ように構成される。同様に、曝露ルールによって特定の曝露イベントに割り当てられる衛生化優先順位は、ＬＳＴからの時間に従って調整する（例えば、ＬＳＴからのより長い経過時間に対して上位に、及びその逆も同様に調整する）ことができる。
【００３３】
衛生化ポリシーマネージャ１１６によって評価された監視メタデータ１１３は、ＰＤ１８０に行った衛生化動作に関連する監視メタデータ１１３を含むことができる。上で開示したように、ＰＤ１８０が衛生化ステーション１５０で衛生化されるとき、衛生化ステーション１５０は、衛生化されるＰＤ１８０のデバイス識別子１８１を含む、衛生化動作に関連する情報を取り込む、及び／又は記録する（例えば、本明細書で開示されるように、衛生化記録を生成する）ように構成することができる。衛生化動作に関連する監視メタデータ１１３は、本明細書で開示されるように、衛生化ステーションモニタ１２０Ｃによって取り込み、衛生化マネージャ１１０に伝送することができる。それに応じて、衛生化ポリシーマネージャ１１６は、ＰＤ１８０のＰＤ状態１１７を更新して、衛生化動作が行われたことを示すことができ、この衛生化動作は、ＬＳＴを含むＰＤ状態１１７の衛生化履歴３８４を更新すること、衛生化ポリシー１１９の推奨される及び／又は最長衛生化期間に基づいてＰＤ１８０の次の衛生化時間を決定すること、など、を含むことができる。衛生化ポリシーマネージャ１１６は、ＰＤ１８０に関連する曝露情報をリセットする（及び／又は潜在的曝露の後にＰＤ１８０が衛生化されたことを示す）、及び／又はＰＤ１８０のデバイス制限を解除する（及び／又はＬＳＴの前にデバイス制限が課されたことを示す）ように更に構成することができる。衛生化ポリシー１１９は、１つ以上の管理アクションを定義することができる。管理アクションは、衛生化ポリシー１１９の準拠を促進するように構成することができる。管理アクションは、ＰＤ１８０が衛生化ポリシー１１９に従って（例えば、ＰＤ１８０の判定した衛生化状態３８６に基づいて）衛生化されることを確実にするように構成することができる。管理アクションは、本明細書で開示されるように、衛生化管理データ１３３を生成すること、及び／又はそれを１つ以上のモニタユニット１２０Ａ〜Ｎ、衛生化ステーション１５０、ユーザ１８２、ＰＤ１８０、通信デバイス１８３、及び／又は同類のものに伝送することを含むことができる。衛生化管理データ１３３は、ユーザ１８２に、ＰＤ１８０をその判定したＰＤ状態１１７に従って衛生化することを促す、思い出させる、指示する、命令する、及び／又は要求するように構成することができる。衛生化マネージャ１１０は、ＰＤ状態１１７の衛生化優先順位に従って、衛生化管理データ１３３を構成することができる。比較的低い衛生化優先順位を有するＰＤ１８０（例えば、推奨される衛生化期間内にある、潜在的曝露イベントを殆ど有しないＰＤ１８０）について生成した衛生化管理データ１３３は、ＰＤ１８０についてスケジュールされた今度の衛生化動作をＰＤ１８０のユーザ１８２に思い出させるように構成された低優先度メッセージを含むことができる。管理クライアント１１８及び／又は電子監視デバイス１２０Ｂは、低い優先順位の衛生化メッセージを、控え目にかつＰＤ１８０の通常動作を妨げることなく提示するように構成することができる。
【００３４】
衛生化マネージャ１１０は、ＰＤ状態１１７の衛生化優先順位に従って、衛生化管理データ１３３を適合させることができる。そのスケジュールされた衛生化時間に近づいているＰＤ１８０について生成した衛生化管理データ１３３は、中優先度リマインダメッセージ（複数可）を備えることができる。管理クライアント１１８及び／又は電子監視デバイス１２０Ｂは、中優先度衛生化メッセージをフォアグラウンドに提示するように構成することができ、よって、ＰＤ１８０のユーザ１８２は、ＰＤ１８０の使用を続ける前に、そのようなメッセージを承認及び／又は拒否しなければならない。高衛生化優先順位に関する管理アクション（例えば、次の衛生化動作の期限であるか、期限を過ぎたことを示すこと）は、衛生化コマンド及び／又は指令を備えた衛生化管理データ１３３を生成することを含むことができる。管理クライアント１１８及び／又は電子監視デバイス１２０Ｂは、そのようなコマンド及び／又は指令が表示されている間、ユーザ１８２がＰＤ１８０からロックされるように、そのようなコマンド及び／又は命令に関連する情報を介在的に及び／又はモーダルに提示するように構成することができる。管理クライアント１１８は、ＰＤ１８０の使用を続けることを可能にする前に、ユーザ１８２に、コマンド及び／又は指令を承認する（例えば、可及的速やかにＰＤ１８０を衛生化することに同意する）ように要求することができる。衛生化管理データ１３３は、ユーザ１８２及び／又はＰＤ１８０の近くの人に、ＰＤ１８０が準拠していないことを通知するように更に構成することができ、これは、ＰＤ１８０において可聴警報通知を生成すること、触覚フィードバックをＰＤ１８０で生成すること、ＰＤ１８０にコンプライアンスメッセージを表示させること、及び／又は同類のことを含むことができる。管理クライアント１１８及び／又は電子監視デバイス１２０Ｂは、ユーザ１８２が衛生化コマンド及び／又は指令を承認及び／又はそれに応答することに応答して、警報を停止させるように構成することができる。警報は、ＰＤ１８０が所定の期間内に衛生化されなかった場合に再アサートすることができる。
【００３５】
最も高い衛生化優先順位（例えば、ＰＤ１８０が、衛生化のために、閾値を超えて衛生化の期限を過ぎたとき、及び／又は指定された曝露イベントの後）の管理アクションは、衛生化命令を含む衛生化管理データ１３３を生成することを含むことができる。衛生化緊急事態は、ＰＤ１８０の通常動作を遮断するように構成された構成データ、命令、コード、及び／又は他のデータを備えることができる。衛生化命令は、ＰＤ１８０が殺菌されるまでＰＤ１８０をロックするように構成することができる。衛生化命令は、上で開示したように、ユーザ１８２（及びＰＤ１８０の近くの人）に、ＰＤ１８０が衛生化ポリシー１１９に準拠していないことを通知するように更に構成することができる。
【００３６】
管理アクションは、（通信デバイス（複数可）１８３を介して）コンプライアンス要員、管理、保守スタッフ、管理スタッフ、サポートスタッフ、及び／又は同類のものなどの他の要員に、通知を送信することを更に指定することができる。通知は、衛生化がスケジュールされた（又はその期限を過ぎた）ＰＤ１８０を識別すること、ＰＤ１８０のユーザ１８２（及び／又はＰＤ１８０を衛生化するように割り当てられたユーザ１８２）を識別すること、ＰＤ１８０の場所を指定すること、などができる。他の要員は、通知に応答して、ＰＤ１８０の衛生化を促進することができる。
【００３７】
本明細書で開示される衛生化管理データ１３３は、ＰＤ１８０の衛生化を促進するように構成された情報を含むことができ、これとしては、近くの衛生化ステーション１５０への指示、衛生化ステーション１５０の適切な使用のための命令、ＰＤ状態１１７に関連する情報（例えば、ＬＳＴから経過した時間、潜在的曝露イベント、デバイス制限、など）を挙げることができるが、これらに限定されない。衛生化管理データ１３３は、コンプライアンス要員、管理、保守スタッフ、管理要員、サポートスタッフ、及び／又は同類のものなどの他の要員に向けられた通知メッセージを更に備えることができる。
【００３８】
いくつかの実施形態において、衛生化ポリシーマネージャ１１６は、監査記録１１５を保持するように更に構成することができる。監査記録１１５は、それぞれのＰＤ１８０のＰＤ状態１１７を追跡すること（例えば、ＰＤ１８０に行われる第１の衛生化動作と、ＰＤ１８０に行われる次の第２の衛生化動作との間の時間枠を追跡すること）ができる。監査記録１１５としては、監査記録１１５によってカバーされる時間枠、時間枠中のＰＤ状態１１７（例えば、割り当てられた衛生化優先順位、曝露イベント、デバイス制限、など）、（監視メタデータ１１３に基づく）時間枠中のＰＤ１８０の使用、取られる管理アクション及び／又はそのような管理アクションに対する応答、など、を挙げることができるが、これらに限定されない。管理アクションは、本明細書で開示されるように、ＰＤ１８０について生成した衛生化管理データ１３３を指定することができる。管理アクションは、時間枠中のＰＤ１８０に対するメッセージ、通知、コマンド、指令、及び／又は命令（及び、それに応答して、衛生化コマンド、指令、及び／又は同類のものなどの、ユーザ１８２によって取られるアクション）を指定することができる。
【００３９】
上で開示したように、衛生化マネージャ１１０に関連する監視メタデータ１１３、監査記録１１５、ＰＤ状態１１７、衛生化ポリシー１１９、相関ルール２１４、及び他のデータは、非一時的データストア１１４内に保持することができる。加えて、衛生化マネージャ１１０を含む命令、モニタ１１２、衛生化ポリシーマネージャ１１６、管理クライアント１１８（本明細書で更に詳細に開示される）、モニタユニット１２０Ａ〜Ｎのうちの１つ以上、相関モニタユニット１２０Ｘ、管理クライアント１１８、及び同類のものは、非一時的データストア１１４（又は他の非一時的記憶デバイス）に記憶することができる。
【００４０】
図４Ａは、衛生化ステーション１５０の一実施形態の概略ブロック図である。上で開示したように、ＰＤ１８０の表面は、潜在的に有害な微生物などの汚染物質（例えば、微生物、病原体、ウイルス、細菌、及び／又は同類のもの）を誘引する及び／又は寄生させている場合がある。いくつかの実施形態において、衛生化ステーション１５０は、電気光学的（electro-optical、ＥＯ）放射線の使用によって、ＰＤ１８０を衛生化するように構成される。本明細書で使用するとき、ＥＯ放射線又は「衛生化ＥＯ放射線」は、表面を衛生化することができる任意の好適な波長及び／又はタイプのＥＯ放射線を指し、そのような放射線としては、２８０〜１００ｎｍの波長を備えるタイプＣ紫外放射線（ＵＶ−Ｃ）、タイプＢ紫外放射線（例えば、ＵＶ−Ｂ）、中紫外放射線（middle ultraviolet radiation、ＭＵＶ）、遠紫外放射線（far ultraviolet radiation、ＦＵＶ）、イオン化ＥＯ放射線、非イオン化ＥＯ放射線、波長及び／又はＥＯ放射線タイプの組み合わせ、又は同類のものを挙げることができるが、これらに限定されない。
【００４１】
本明細書で開示される衛生化ステーション１５０は、異なる時間量にわたってＰＤに照射するように構成することができる。いくつかのタイプのＥＯ放射線は、比較的素早くＰＤの表面を衛生化することが可能であり得る（例えば、表面を衛生化するために、ＵＶ−Ｃに３〜５分曝露すれば十分であり得る）。いくつかの実施形態において、ＥＯ放射線曝露時間は、放出されるＥＯ放射線の強度、ＰＤ１８０に照射するために使用されるＥＯ放射線のタイプ（複数可）、ユーザ構成及び／若しくは選好、又は同類のものに従って構成すること又は適合させることができる。いくつかの実施形態において、ＥＯ曝露の量は、（例えば、ボタン、セレクタ、タイマ、又は他のヒューマン−マシン−インターフェース構成要素を介して）ユーザによって構成可能である。代替的に、又は加えて、曝露の量は、ＥＯ放射線の特性、ＰＤの最後の衛生化サイクル以来の時間、及び／又は他の好適な因子に基づいて、自動的に決定することができる。別の実施形態において、ＰＤ１８０のＥＯ曝露の量は、ＰＤ１８０の衛生化状態３８６（例えば、ＬＳＴから経過した時間、ＬＳＴ以来の曝露（複数可）、及び／又は同類のもの）に基づくことができる。
【００４２】
いくつかの実施形態において、衛生化ステーション１５０は、単一波長の衛生化ＥＯ放射線を使用してＰＤ１８０を衛生化するように構成することができる。他の実施形態では、衛生化ＥＯ放射線の複合放出を備える、多波長のＥＯ放射線を使用することができる。いくつかの実施形態において、一連の異なる波長の衛生化ＥＯ放射線を、特定のシーケンス又はパターンに従って適用することができる。複数波長のＥＯ放射線が使用される場合、ＰＤ１８０に適用される特定の波長を構成して、特定の微生物（例えば、特定のタイプの細菌）を標的にすることができる。特定の波長はまた、ＰＤ１８０への損傷を回避するように選択することもできる（例えば、ＰＤ１８０の表面処理剤、材料、ケース、及び／又は動作用構成要素への損傷を回避するように選択することができる）。例えば、ＥＯ放射線の波長は、ＥＯ放射線がＰＤ１８０の表面を衛生化し、一方で、ＰＤ１８０の構造に使用されるプラスチック、複合物、金属、合金、布地、色素、又は染料に対する損傷を最小にするように選択することができる。いくつかの実施形態において、波長は、ＰＤ１８０の内部へのＥＯ放射線の貫入を最小にするように選択することができ、並びに／又はＰＤ１８０の電子機器、プロセッサ、メモリ、記憶装置、及び／若しくは他の構成要素に悪影響を与えない波長とすることができる。
【００４３】
本明細書で開示される衛生化ステーション１５０は、任意の数の異なるタイプのＰＤ１８０を衛生化するように構成することができ、このタイプとしては、ツール、診断用デバイス、ポータブル診察デバイス（例えば、聴診器、反射槌、パルス酸素測定デバイス、及び／又は同類のもの）、ポータブル治療デバイス、ポータブル通信デバイス、電話、無線ヘッドセット、携帯電話、スマートフォン、ポータブル表記デバイス、ポータブルメディアデバイス、画像キャプチャデバイス、ビデオ取り込みデバイス、オーディオ取り込みデバイス、ポータブルコンピューティングデバイス、タブレットコンピューティングデバイス、ラップトップコンピュータ、ノートブックコンピュータ、電子読み取りデバイス、パーソナルデジタルアシスタント（personal digital assistant、ＰＤＡ）、パームトップコンピュータ、ハンドヘルドコンピュータ、ペンコンピュータ、ウルトラモバイルパーソナルコンピュータ、ポケットベル、ポータブルナビゲーションデバイス、パーソナルナビゲーションアシスタント（例えば、ポータブル全地球位置測定システム（Global Positioning System、ＧＰＳ）ユニット）、及び／又は同類のもの、が挙げられるが、これらに限定されない。
【００４４】
衛生化ステーション１５０は、ＰＤ１８０及び１つ以上のＥＯエミッタを受容するために構成された内部エンクロージャ又は区画を備えることができる。装置は、ＰＤ１８０をエンクロージャ内で特定の配向及び／又は位置に保持するように構成された支持部材を更に備えることができる。いくつかの実施形態において、支持部材は、ＥＯエミッタがＰＤ１８０の表面全体に照射することができるように、ＥＯエミッタによって放出したＥＯ放射線を透過する（又は実質的に透過する）ことができ、及び／又はエンクロージャの内面は、ＥＯ放射線を反射するように構成することができる。装置は、ＰＤ１８０がエンクロージャ又は区画内にある間に（及び／又はＰＤ１８０がＥＯ放射線によって衛生化されている間に）、ＰＤ１８０に充電するように構成された、充電モジュールを更に備えることができる。充電モジュールは、ＰＤ１８０に充電するように、データ接続を提供するように、及び／又はＰＤ１８０へのオーディオ接続を提供するように構成することができる。例えば、充電モジュールは、ＰＤ１８０への通信リンクを提供する、通信モジュールを含むことができる。したがって、いくつかの実施形態において、装置は、ＰＤ１８０のドックとしての機能を果たすように構成することができる。例えば、充電モジュールは、ＰＤ１８０を、サーバ、パーソナルコンピュータ、ドッキングステーション、又は同類のものなどの外部コンピューティングデバイスに連結するように構成されたドッキングコネクタに連結することができる。いくつかの実施形態において、装置は、衛生化状態及び／又は充電状態をユーザ１８２に表示するように構成された、１つ以上のインジケータを備えることができる。
【００４５】
装置は、ＥＯエミッタの起動を制限するように構成することができる。いくつかの実施形態において、ＥＯエミッタは、エンクロージャが閉鎖構成である（例えば、封止されている）と判定することに応答して、ＥＯ放射線を放出するように構成することができる。本明細書で使用するとき、「閉鎖」構成又は「封止」構成は、装置の内部から装置の外部へのいかなる光伝送経路も存在しないように、及び／又はエミッタのＥＯ放射線が装置の外部に放射されない（例えば、ＥＯ放射線が内部区画から漏出しない）ように、装置の内部領域、一部分、及び／又は区画がＥＯ放射線の伝送に対して閉鎖されている構成を指す。対照的に、「開放」構成では、装置の中に放射されたＥＯ放射線が、装置から放射することが可能であるように、装置の内部にアクセスすることができる。開放構成では、ＰＤ１８０を装置内に配置する及び／又は装置から取り外すことができる。
【００４６】
いくつかの実施形態において、ＰＤ１８０衛生化装置は、装置が閉じているかどうかを判定するように構成された検出器モジュールを備えることができる。ＰＤ１８０衛生化装置は、装置が閉じた又は封止された構成であると判定することに応答して、衛生化モジュール（例えば、ＥＯエミッタ）を起動させるように構成することができる。衛生化モジュールは、装置が開放構成又は未封止構成であると検出器モジュールが判定することに応答して停止させることができる。検出器モジュールは、接触スイッチ、導電性スイッチ、磁気スイッチ、容量性スイッチ、抵抗スイッチ、ラッチ、又は同類のものが挙げられるが、これらに限定されない、１つ以上の検出機構を備えることができる。いくつかの実施形態において、検出器モジュールは、複数の冗長な検出機構を備えることができ、衛生化モジュールは、装置が閉鎖構成又は封止構成であることを検出機構の各々が示すことに応答して起動させることができる。
【００４７】
いくつかの実施形態において、ＰＤ１８０の衛生化装置は、上部分及び下部分を備えるエンクロージャを備えることができる。上部分及び下部分は、クラムシェルを形成することができて、かつＰＤ１８０を受容するように構成された内部を画定することができる。いくつかの実施形態において、ポータブルデバイスを衛生化するための装置は、エンクロージャと、蓋と、を備え、この蓋は、ＰＤ１８０をエンクロージャの中へ配置することができるように開くことができる。一実施形態において、装置は、エンクロージャと、エンクロージャにアクセスするために基部からスライドさせて外す、又は基部から離間するカバーと、を備える。更に別の実施形態において、装置は、エンクロージャと、ドロワと、を備え、ドロワは、ＰＤ１８０を装置内に配置することができるように摺動するか、又はエンクロージャの外へ回転するように構成される。ドロワは、ＰＤ１８０を受容するように構成されたトレイ又は他の支持部材を備えることができる。いくつかの実施形態において、トレイは、ドロワを開くとき及び／又は閉じるときにＰＤ１８０がトレイから滑り出ることを防止するために、トレイから延在するリム、リップ、又は隆起部分を備える。一実施形態において、装置は、エンクロージャと、エンクロージャにアクセスするための１つ以上のドアと、を備える。一実施形態において、エンクロージャは、キャビネット又はカート内にあり、かつ２つ以上のＰＤ１８０を受容するように構成される。キャビネット内の１つ以上の支持部材は、ＰＤ１８０の衛生化を可能にするために、特定の配向で２つ以上のＰＤ１８０を保持するように構成することができる。
【００４８】
図４Ａの実施形態において、衛生化ステーション１５０は、コントローラ４１０と、メモリ構成要素４１２と、記憶構成要素４１４と、ＨＭＩ構成要素４２０と、エンクロージャ４６０と、を備える。コントローラ４１０としては、回路、チップ、パッケージ、マイクロプロセッサ、マイクロコントローラ、中央演算処理装置、汎用処理ユニット、特殊処理ユニット、処理回路、論理回路、集積回路（ＩＣ）、システムオンチップ（ＳｏＣ）、プログラマブルシステムオンチップ（ＰｓｏＣ）、システムインパッケージ（ＳｉＰ）、特定用途向け集積回路（ＡＳＩＣ）、構成可能な回路、プログラマブル回路、フィールドプログラマブルゲートアレイ（ＦＰＧＡ）、コンプレックスプログラマブルロジックデバイス（ＣＰＬＤ）、プログラマブル論理アレイ（ＰＬＡ）、及び／又は同類のものを挙げることができるが、これらに限定されない。メモリ構成要素４１２としては、キャッシュメモリ（コントローラ４１０のオンボードキャッシュ）、揮発性メモリ、ランダムアクセスメモリ（ＲＡＭ）、ダイナミックＲＡＭ（ＤＲＡＭ）、スタティックＲＡＭ（ＳＲＡＭ）、サイリスタＲＡＭ（路面電車）、ゼロ−キャパシタＲＡＭ（ＺＲＡＭ）、及び／又は同類のものを挙げることができるが、これらに限定されない。記憶構成要素４１４としては、非一時的記憶デバイス、非一時的メモリデバイス、固体メモリ、ハードディスク、磁気ディスク記憶デバイス、光記憶デバイス、テープ記憶デバイス、フラッシュメモリ、ＮＡＮＤ型フラッシュメモリ、ＮＯＲ型フラッシュメモリ、プログラマブルメタライゼーションセルメモリ（ＰＭＣ）、シリコン−酸化物−窒化物−酸化物−シリコン（ＳＯＮＯＳ）メモリ、抵抗ＲＡＭ（ＲＲＡＭ）メモリ、浮遊接合ゲートＲＡＭ（ＦＪＧ  ＲＡＭ）、強誘電体メモリ（ＦｅＲＡＭ）、磁気抵抗メモリ（ＭＲＡＭ）、相変化メモリ（ＰＲＡＭ）、電気的消去可能プログラマブルリードオンリーメモリ（ＥＥＰＲＯＭ）、キャッシュ記憶デバイス、リモート記憶デバイス、ネットワークアタッチトストレージ（ＮＡＳ）デバイス、及び／又は同類のものを挙げることができるが、これらに限定されない。ＨＭＩ構成要素４２０としては、キーボード、ボタン、スイッチ、ポインタ、及び／又はジェスチャデバイスなどの入力／出力デバイス（例えば、マウス、タッチパッド、タッチスクリーン、及び／又は同類のもの）、カメラ、ディスプレイデバイス、モニタ、ステータスインジケータ、スタティックインジケータライト、オーディオキャプチャデバイス、オーディオ出力デバイス、触覚フィードバックデバイス、及び／又は同類のものを挙げることができるが、これらに限定されない。相互接続構成要素４５０は、衛生化ステーション１５０の構成要素の間でデータ及び／又は命令を通信するための任意の好適な回路を備えることができる。
【００４９】
コントローラ４１０は、衛生化ステーション１５０の動作を制御するように構成することができ、この動作は、開口部４６４、エミッタ４６８、アクチュエータ４７０、及びＰＤ支持体４６２を選択的に起動及び／又は停止させることを含むことができる。ＨＭＩ構成要素４２０は、ボタン、スイッチ、ディスプレイなどの１つ以上の入力／出力構成要素を備えることができる。ＨＭＩ構成要素４２０は、現在の衛生化状態、衛生化時間、充電状態、充電時間、パワーオン状態、エンクロージャ４６０の閉鎖状態、などといった、衛生化ステーション１５０に関連する状態情報を表示及び／又は通信するように構成された状態インジケータを含むことができる。いくつかの実施形態において、状態インジケータは、液晶ディスプレイ（Liquid Crystal Display、ＬＣＤ）、１つ以上の発光体、又は同類のものなどの、１つ以上の視覚インジケータを備える。状態インジケータは、衛生化及び／又は充電している状態を示すために音又は発話を生成するように設計された１つ以上の音響インジケータを備えることができる。音響インジケータは、振動又は他の音響信号を生成するように構成された、スピーカ、バイブレータ、又は任意の他の機構とすることができる。ＨＭＩ要素４２０は、衛生化時間及び／又はモードパラメータ、充電設定、などといった、ユーザ入力及び／又は構成情報を受信するように構成することができる。
【００５０】
衛生化ステーション１５０は、開口部４６４を介してＰＤ１８０を受容するように構成されたエンクロージャ４６０を更に備えることができる。開口部４６４は、クラムシェル構成（例えば、上側部材及び下側部材）、トレイ、ドロワ開口部、キャビネット内部へのドア、格納可能なカバー、又は同類のもの、を備えることができる。エンクロージャ４６０は、閉鎖構成と、開放構成と、を備えることができる。上で説明したように、閉鎖された構成において、エンクロージャ４６０は、（例えば、コントローラ４１０のエミッタ４６８によって）その中に放出されたＥＯ放射線がエンクロージャ４６０から外部に放出されないように、ＥＯ放射線に対して封止することができる。エンクロージャ４６０は、エンクロージャ４６０が閉鎖構成であるかどうかを検出するように構成された検出器４６６を備えることができる。検出器４６６は、エンクロージャ４６０の閉鎖状態をコントローラ４１０に通信するように構成することができる。コントローラ４１０は、エンクロージャ４６０が閉鎖構成でないときにコントローラ４１０を停止させるように構成することができる。上で説明したように、検出器４６６は、スイッチ、ラッチ、又は同類のもの、などの１つ以上の検出機構を備えることができる。
【００５１】
コントローラ４１０は、ＥＯ放射線をエンクロージャ４６０の中へ放出するように構成することができる。ＥＯ放射線は、エンクロージャ４６０内のＰＤ１８０の表面に照射するように構成することができる。コントローラ４１０は、１つ以上の波長でＥＯ放射線を放出するように構成することができ、これは、ＰＤ１８０の表面の微生物（例えば、細菌）を死滅及び／又は無害化するように構成することができる。いくつかの実施形態において、コントローラ４１０は、単一波長のＥＯ放射線を放出するように構成することができる。他の実施形態において、コントローラ４１０は、広範囲の衛生化ＥＯ放射線を放出するように構成される。コントローラ４１０は、複数の離散波長又は複数の狭スペクトラムのＥＯ放射線を放出するように構成することができる。いくつかの実施形態において、コントローラ４１０は、２４０ｎｍ〜２８０ｎｍの波長でＥＯ放射線を放出するように構成され、この波長は、ＤＮＡ及びＲＮＡの化学結合を破壊し、それによって、微生物を死滅させることができる。これらの波長で放出される放射線はまた、有機分子及び炭素系分子を分解することも知られている。いくつかの実施形態において、ＥＯ放射線の波長は、グリース又は皮脂の粒子を分解するのに適するように選択される。いくつかの実施形態において、ＥＯ放射線の放出波長は、予め選択される。他の実施形態において、放出波長は、例えば、ユーザが一組の波長を選択することによって、又はＨＭＩ４２０を介して波長の複数の予め設定した組み合わせの中での選択を示すことによって、ユーザによって選択される。
【００５２】
コントローラ４１０は、上で説明したように、ＰＤ１８０を衛生化するために、適切な波長及び／又は強度のＥＯ放射線を放出するように構成されたエミッタ４６８を備えることができる。エミッタ４６８は、ＰＤ１８０の表面全体がＥＯ放射線に曝露されるように、エンクロージャ４６０内の好適な位置に配置することができる。いくつかの実施形態において、コントローラ４１０は、エンクロージャ４６０内の異なる場所、角度、及び／又は位置からＰＤ１８０に照射するように構成された複数のエミッタ４６８を備えることができる。
【００５３】
いくつかの実施形態では、単一のエミッタ４６８が使用され、エミッタから放出されるＥＯ放射線は、（エンクロージャ４６０の内面によって）エンクロージャ４６０内で反射され、屈折され、及び／又は放散される。いくつかの実施形態では、１つ以上のエミッタ４６８がＰＤ１８０の直上又は直下に配置され、ＥＯ放射線は、反射面及び／又は屈折面によって内部を通って伝搬する。他の実施形態では、１つ以上のエミッタ４６８がＰＤ１８０の側部に配置され、ＥＯ放射線は、反射面及び／又は屈折面によってエンクロージャ４６０を通って伝搬する。更に他の実施形態において、複数のエミッタ４６８は、エンクロージャ４６０の全体にわたって配置される。
【００５４】
エミッタ４６８は、発光ダイオード（light emitting diode、ＬＥＤ）、レーザ、電気アーク放電、ガス放電ランプ、蛍光灯、又は同類のもの、が挙げられるが、これらに限定されない、任意の好適なＥＯ放射線源を備えることができる。いくつかの実施形態において、エミッタ４６８は、衛生化ステーション１５０のサイズ要件を最小にするために、コンパクトであるように構成される。別の実施形態では、より大きく寸法決定されたエミッタ（複数可）４６８を使用することができる。一実施形態において、エミッタ４６８は、円形、楕円形、又は他の丸みのある形状の一部分などの、丸みのある円弧を形成する細長いエミッタ管を含む。一実施形態において、細長いエミッタ管は、円形及び楕円形のうちの１つの少なくともかなりの部分を形成する。いくつかの実施形態において、円弧形状、円形状、楕円形状、又は平面内の他の形状を備えるエミッタ４６８は、ＥＯ放射線が実質的に平行な表面に分配される均一性を高めることができる。
【００５５】
エミッタ４６８は、エミッタによって放出されたＥＯ放射線を、エンクロージャ４６０の内部の特定の部分に分配する、集束させる、放散させる、又は別様に方向付けるための、１つ以上のレンズを更に備えることができる。エミッタ４６８は、ＥＯ放射線の不要な部分及び／又は波長を遮断することが可能な１つ以上のフィルタ更に備えることができる。非限定的な例として、低圧水銀灯は、約１８４ｎｍ及び２５４ｎｍのピーク波長のＥＯ放射線を放出する。両方の波長を使用してＰＤを衛生化することができるが、１８４ｎｍのＥＯ放射線はまた、望ましくない場合があるオゾンも生成する。したがって、低圧水銀灯は、１８４ｎｍのＥＯ放射線を遮断し、一方で、２５４ｎｍのＥＯ放射線を通過させることを可能にするように設計されたフィルタと併せて使用することができる。
【００５６】
上で開示したように、エンクロージャ４６０は、ＰＤ１８０を受容するように構成された内部又は領域を備えることができる。エンクロージャの内面４６０は、ＥＯ放射線をＰＤ１８０に方向付けるように構成することができる。したがって、いくつかの実施形態において、エンクロージャ４６０の内面の一部分は、ＰＤ１８０に放出されたＥＯ放射線を反射し、よって、ＰＤ１８０の表面全体が放射線に曝露されるように構成された、反射材料を含むことができる。いくつかの実施形態では、エンクロージャ４６０の表面の実質的に全てが、ＥＯ放射線を反射するように構成される。本明細書で使用するとき、「実質的に」という用語は、特性、形状、又は構成が必ずしも性能を完全に示すのではなく、あたかも特性、形状、又は構成が正確に説明されているかのように、類似する性能を十分に示すことを意味するために提供される。例えば、エンクロージャ４６０の表面の実質的に全てがＥＯ放射線を反射するように構成されている場合、エンクロージャ４６０内のＰＤの衛生化において、表面全体がＥＯ放射線を反射するように構成されている場合と比較して、その違いが全く存在し得ないか、又は僅かな違いしか存在し得ない。代替的に、表面の特定の部分（例えば、ＰＤ１８０に面する部分）のみを反射材料で構成することができる。反射材料が使用される実施形態において、ＰＤ１８０は、ＰＤ１８０の表面のシャドウイングを最小にするために、傾斜角でＰＤ１８０に到達する、反射された衛生化ＥＯ放射線に曝露することができる。シャドウイングは、例えば、ＰＤ１８０の表面の粒子によって、ＰＤ１８０の継ぎ目若しくはボタンなどの表面上の機構によって、又はＰＤ１８０の表面のスクラッチ、若しくは他の欠陥によって生じ得る。更に別の実施形態では、いかなる反射材料も使用されず、むしろコントローラ４１０のエミッタ４６８が、ＰＤ１８０の表面全体がＥＯ放射線に直接曝露されように配置される。エンクロージャ４６０が複数のＰＤ１８０を受容するように構成されているいくつかの実施形態において、ＰＤ１８０は、各ＰＤ１８０の表面全体がＥＯ放射線に直接的又は間接的に曝露されるようにエンクロージャ内に位置付けられる。
【００５７】
いくつかの実施形態において、衛生化ステーション１５０は、エンクロージャ４６０内でＰＤ１８０を特定の配向及び／又は位置に保持するように構成されたＰＤ支持体４６２を備えることができる。ＰＤ支持体４６２は、エミッタ４６８によって放出されたＥＯ放射線をＰＤ１８０の実質的に表面全体に照射することを可能にするように構成された配向及び／又は位置にＰＤ１８０を保持するように構成することができる。いくつかの実施形態において、ＰＤ支持体４６２は、エミッタ４６８によって放出されたＥＯ放射線を透過する（又は実質的に透過する）ことができる。したがって、ＰＤ支持体４６２は、ＥＯ透過材料で構成することができる。支持部材は、コントローラ４１０によって放出されたＥＯ放射線を十分に透過する、ガラス、プラスチック、ポリマー、セラミック、水晶、又は他の好適な材料で作製することができる。いくつかの実施形態において、エミッタ４６８は、衛生化ＥＯ放射線がＰＤ支持体４６２を通ってＰＤ１８０の表面に放出されるように、ＰＤ支持体４６２の下側に配置することができる。ＰＤ支持体４６２の下側に配置されたエミッタ４６８の強度は、ＰＤ支持体４６２による衛生化ＥＯ放射線の部分吸収を補償するために、他のエミッタ４６８に対して高めることができる。いくつかの実施形態において、ＰＤ支持体４６２は、ＥＯ放射線をフィルタ処理するように、及び／又は別様にエミッタ４６８によって放出されたＥＯ放射線を加減するように構成することができる。
【００５８】
いくつかの実施形態において、ＰＤ支持体４６２は、水平配向のＰＤ１８０を保持するように構成された平坦な支持部材（例えば、プレート）を備えることができる。いくつかの実施形態において、充電器のコネクタは、ＰＤ１８０がエンクロージャ４６０内に固定されるように、ＰＤ１８０に強固に取り付けることができる。代替的に、又は加えて、ＰＤ支持体４６２は、ＰＤ１８０の運動を防止又は最小にすることが可能な非平滑化表面を備えることができる。いくつかの実施形態において、ＰＤ支持体４６２は、ＰＤ１８０がＰＤ支持体４６２から滑り出ることを防止する、隆起部材を更に備える。隆起部材は、衛生化ＥＯ放射線を透過することができる。別の実施形態において、隆起部材は、衛生化ＥＯ放射線を反射する。
【００５９】
ＨＭＩ構成要素４２０は、ハンズフリーＨＭＩ要素４２２を備えることができ、これは、ハンズフリーユーザ入力に応答して衛生化動作を行うよう準備するために、エンクロージャ４６０を選択的に開き、ＰＤ１８０を受容し、そしてエンクロージャ４６０を閉じるように構成することができる。本明細書で使用するとき、「ハンズフリー」入力は、ユーザが衛生化ステーション１５０及び／又はそのＨＭＩ構成要素４２０に接触することを必要としない入力を指す。衛生化ステーション１５０のハンズフリーＨＭＩ要素４２２としては、運動センサ、ジェスチャセンサ、音響センサ、カメラ、画像取り込みデバイス、容量センサ、熱センサ、及び／又は同類のものが挙げられるが、これらに限定されない。ハンズフリーＨＭＩ要素４２２は、第１のハンズフリー入力に応答して、エンクロージャ４６０を開いて、（アクチュエータ４７０の使用によって）ＰＤ１８０を受容し、そして、第２のハンズフリー入力に応答して、衛生化動作を行う（例えば、本明細書で開示されるように、エンクロージャ４６０を閉じる、及び／又はエミッタ４６８を起動する）ように構成することができる。
【００６０】
いくつかの実施形態において、エンクロージャ４６０は、音響導管を備えることができ、これは、エンクロージャ４６０の内部と外部との間に音響経路又はチャネルを提供するように構成された開口部及び／又は出口を備えることができる（例示される実施形態の詳細を不明瞭にすることを回避するために図４Ａに図示せず）。エンクロージャ４６０内でＰＤ１８０によって発せられた音は、エンクロージャ４６０の外部へ音響導管を通過することができる。したがって、音響導管は、ＰＤ１８０がエンクロージャ４６０内にある間、ユーザが、ＰＤ１８０によって生成された警告又はアラームを聞くことを可能にすることができる。音響導管は、エンクロージャ４６０からＥＯ放射線が漏出することを防止するように更に構成することができる。したがって、音響導管は、エンクロージャ４６０の内部とエンクロージャ４６０の外部との間の光路を遮断及び／又は阻止するように構成することができる。いくつかの実施形態において、音響導管の形状は、ＥＯ放射線を遮断するように構成することができ、音響導管は、湾曲状、テーパ状、及び／又は別様にＥＯ放射線の漏出を防止するように適合させることができる。代替的に、又は加えて、音響導管の外面は、エミッタ４６８によって放出されたＥＯ放射線を吸収するように構成された材料で構成することができる。音響導管は、エンクロージャ４６０の内部からエンクロージャ４６０の外部へのいかなる照準線又は光路も存在しないように構成することができる。いくつかの実施形態において、音響導管は、エンクロージャ４６０の内部からエンクロージャ４６０の外部へと通じる狭幅スロットを備える。いくつかの実施形態において、音響導管は、ＥＯ放射線を遮断し、一方で、音響信号が容易に通過することを可能にするように構成された、ＥＯ放射線吸収材料の膜を備える。いくつかの実施形態では、ＥＯ放射線吸収材料のフィラメントを音響導管内に配置して、衛生化ＥＯ放射線を吸収し、一方で、音響信号が通過することを可能にする。
【００６１】
いくつかの実施形態において、エンクロージャ４６０及び／又は音響導管は、その中で音を増幅する（例えば、エンクロージャ４６０内で生成された音響信号を増幅する）ように構成される。いくつかの実施形態において、音響導管は、エンクロージャ４６０内で生じる音又は他の音響信号を増幅するように構成された音響メガホンを備える。いくつかの実施形態において、音響導管は、音響信号を共鳴させるように構成されたホーンを備える。
【００６２】
いくつかの実施形態において、衛生化ステーション１５０は、その中に配置されたＰＤ１８０に充電又は再充電するように構成された充電器を備える（例示される実施形態の詳細を不明瞭にすることを回避するために図４Ａに図示せず）。少なくとも１つの実施形態において、充電器は、複数のＰＤ１８０に充電するように構成される。充電器は、ＰＤ１８０に電力を供給するように構成されたコネクタを備えることができる。一実施形態において、充電器は、エンクロージャ４６０内に配置することができる複数のＰＤ１８０のそれぞれのためのコネクタを含む。コネクタは、ユニバーサルシリアルバス（Universal Serial Bus、ＵＳＢ）コネクタ、ミニＵＳＢコネクタ、マイクロＵＳＢコネクタ、３０ピンコネクタ、専用コネクタ、又は同類のもの、などの、ＰＤ１８０に差し込む物理的コネクタとすることができる。代替的に、又は加えて、充電器は、無線でＰＤ１８０に電力を伝達するために、誘導コイルを備えることができる。いくつかの実施形態において、充電器のコネクタは、ＰＤ１８０のドッキングコネクタとしての機能を果たす（例えば、ＰＤ１８０と、コンピューティングデバイス、ハブ、又は同類のものとの間でデータを通信する）ように更に構成することができる。衛生化ステーション１５０は、データ接続のエンドノードとしての機能を果たすように構成することができ、又はＰＤと別の外部コンピューティングデバイスとの間にデータ接続を確立するために使用される中間ノード（ハブ）としての機能を果たすように構成することができる。いくつかの実施形態において、充電器は、様々な異なるタイプのコネクタ及び／又はＰＤに接続することが可能な、取り外し可能なアダプタを備えることができる。いくつかの実施形態において、充電器のコネクタは、ＰＤ１８０をエンクロージャ４６０の中で異なる場所及び／又は配向で位置付けるように延在可能である。
【００６３】
いくつかの実施形態において、充電器は、サードパーティの充電器のコード又はケーブルがエンクロージャ４６０の中へ通過することを可能にするように構成された壁穴ポートを備える。ポート及び／又は開口部は、ＥＯ放射線がエンクロージャ４６０から漏出することを防止するように構成することができる。したがって、ポート及び／又は開口部は、ＥＯ放射線を遮断するためのガスケット、壁穴ケーブル、又は他の機構及び／若しくは構造を備えることができる。代替的に、充電器は、サードパーティの充電器及び内部コネクタに接続するための外部コネクタを有する中間ケーブル又はコードを備えることができる。
【００６４】
上で開示したように、コントローラ４１０は、衛生化ステーション１５０の充電及び／又は衛生化動作を制御するように構成することができる。コントローラ４１０は、回路、チップ、パッケージ、マイクロプロセッサ、マイクロコントローラ、中央演算処理装置、汎用処理ユニット、特殊処理ユニット、処理回路、論理回路、集積回路（ＩＣ）、システムオンチップ（ＳｏＣ）、プログラマブルシステムオンチップ（ＰｓｏＣ）、システムインパッケージ（ＳｉＰ）、特定用途向け集積回路（ＡＳＩＣ）、構成可能な回路、プログラマブル回路、フィールドプログラマブルゲートアレイ（ＦＰＧＡ）、コンプレックスプログラマブルロジックデバイス（ＣＰＬＤ）、プログラマブル論理アレイ（ＰＬＡ）、及び／又は同類のもののうちの１つ以上を備えることができる。いくつかの実施形態において、コントローラ４１０は、衛生化ステーション１５０の動作に関連する時間情報を追跡するように構成されたタイマモジュール及び／又はプロセスを備える。コントローラ４１０は、コントローラ４１０がＥＯ放射線を放出するのをいつ停止させるのかを決定するためのタイミング情報を参照する。したがって、コントローラ４１０は、ＰＤ１８０の曝露時間を制御することができる。いくつかの実施形態において、コントローラ４１０は、所定の照射時間の後にコントローラ４１０を自動的に停止させる。いくつかの実施形態において、曝露時間は、（ＨＭＩ４２０を介して受信される）ユーザ入力から決定することができる。別の実施形態において、曝露時間は、コントローラ４１０によって自動的に計算され、曝露時間は、コントローラ４１０によって放出されるＥＯ放射線の強度、波長、及び／又はタイプに従って選択することができる。いくつかの実施形態において、曝露時間の量は、ＰＤ１８０の汚染レベルに従って変動させることができる。
【００６５】
上で開示したように、コントローラ４１０は、エンクロージャ４６０が閉鎖構成であるかどうかを判定するように検出器４６６に連結することができる。コントローラ４１０は、エンクロージャ４６０が閉鎖構成でない間、コントローラ４１０を停止させるように構成することができる。コントローラ４１０は、（検出器４６６の使用によって）コントローラ４１０の動作中にエンクロージャ４６０の閉鎖状態を監視するように更に構成することができ、かつエンクロージャ４６０がもはや閉鎖構成でないと判定することに応答して、衛生化動作を中断することができる。いくつかの実施形態において、コントローラ４１０は、エンクロージャ４６０を閉鎖することに応答して、衛生化サイクルを続ける（例えば、コントローラ４１０は再起動させるが、サイクルと関連付けられたタイマをリセットしない）ように構成することができる。いくつかの実施形態では、エンクロージャ４６０が時間閾値内に閉じられた場合、衛生化サイクルを続けるように構成することができ、閉じられなかった場合、コントローラ４１０は、衛生化サイクルを再起動するように構成することができる。
【００６６】
いくつかの実施形態において、コントローラ４１０は、エンクロージャ４６０内でＰＤ１８０を検出することに応答して、自動的にコントローラ４１０を起動させるように構成される。いくつかの実施形態において、コントローラ４１０は、ＰＤ１８０が充電器に接続されているかどうかを判定することによって、ＰＤ１８０がエンクロージャ４６０内に存在すると判定する。いくつかの実施形態において、装置１００は、ＰＤ１８０がエンクロージャ４６０内に存在するかどうかを判定するように構成された１つ以上のセンサを備える。そのようなセンサとしては、光学センサ、重量センサ、容量センサ、抵抗センサ、圧力センサ、機械スイッチ、又は同類のもの、が挙げられるが、これらに限定されない。
【００６７】
コントローラ４１０は、定期的に自己衛生化動作を行うように構成することができる。したがって、いくつかの実施形態において、コントローラ４１０は、ＰＤ１８０がエンクロージャ４６０内に存在するかどうかにかかわらず、エンクロージャ４６０が閉じているときに自動的にコントローラ４１０を作動させるように構成することができる。自己衛生化サイクルは、エンクロージャ４６０が、ＰＤ１８０によって隠されている領域内に細菌及び／又は他の汚染物質を含まないことを確実にすることができる。いくつかの実施形態において、自己衛生化プロセスは、ＨＭＩ４２０を通して手動で呼び出すことができる。
【００６８】
装置１００は、閉鎖構成のエンクロージャ４６０を保持するように構成された１つ以上のラッチ係合及び／又は固定機構を更に備えることができる。この機構は、ＥＯ放射線がエンクロージャ４６０から漏出することを防止するように更に構成することができる。いくつかの実施形態において、エンクロージャ４６０は、エンクロージャ４６０の２つの半部を互いに固定するように構成された一対の磁石を備えることができる。いくつかの実施形態において、エンクロージャ４６０は、そこに閉鎖力を加えるヒンジ内のばねを備えることができる。いくつかの実施形態において、エンクロージャ４６０は、一方の安定した状態が閉鎖された構成に対応し、他方の安定した状態が開放位置に対応する、双安定ばね又は他の好適な機構を備える。一実施形態において、エンクロージャ４６０は、ドロワ又はカバーが重力によって閉位置に向かって引き込まれるように閉位置に向かって傾斜した、ドロワ又はカバー上のスライド部材などの、スライド部材を備える。いくつかの実施形態において、ラッチ機構は、エンクロージャ４６０が閉鎖構成であるかどうか判定するための検出器４６６と一体化される。
【００６９】
いくつかの実施形態において、エンクロージャ４６０は、ＥＯ放射線の漏出を防止するように構成されたＥＯ放射線シールを備えることができる。放射線シールは、エンクロージャ４６０の開口部４６４に形成されたガスケット及び／又はリップを備えることができる。いくつかの実施形態において、ＥＯ放射線シール（複数可）は、ＥＯ放射線を吸収するように構成された材料を含むことができる。ＥＯ放射線シール（複数可）の一部分は、ＥＯ放射線後部をエンクロージャ４６０の中へ反射するように構成された反射材料から形成することができる。
【００７０】
いくつかの実施形態において、衛生化ステーション１５０の開口部４６４は、内面４６７を有する前面パネル４６５を備える。前面パネル４６５は、ヒンジ４６９又は他の構造によって、エンクロージャ４６０の底部分に連結することができる。アクチュエータ４７０は、前面パネル４６５を再位置付けし、それによってエンクロージャ４６０を開く、及び閉じるように構成することができる。閉鎖構成にあるときに、前面パネル４６５は、エンクロージャ４６０の外面に連結され、それによってエンクロージャ４６０の内部領域を取り囲むことができる。開放構成にあるときに、前面パネル４６５は、（底部ヒンジ４６９を介して）エンクロージャ４６０から離れて回転して、それによってエンクロージャ４６０の内部を露出させることができる。前面パネル４６５の内面４６７は、前面パネル４６５が開放構成（前面パネル４６５が実質的に水平である）から閉鎖構成（前面パネル４６５が実質的に垂直である）へ移動するときに、内面に配置されたＰＤ１８０が前面パネル４６５上に固定されたままであるように、角度付きとすることができる。内面４６７の内面は、開放構成にあるときに、ヒンジ４６９に最も近い内面４６７の端部（及びエンクロージャ４６０の底部）が内面４６７の対向端部に対して高くなるように、角度付きとすることができる。
【００７１】
衛生化ステーション１５０は、診断モジュール４７８を更に備えることができ、これは、衛生化ステーション１５０に関する診断動作を行うように構成することができる。診断動作は、とりわけ、衛生化ステーション１５０のエミッタ４６８の１つ以上の状態を決定する（例えば、それぞれのエミッタ４６８の出力レベル及び／又は残存寿命を決定する）ことを含むことができる。診断モジュール４７８は、物体検出器４８０と、ＥＯメーター４９０と、を備えること、及び／又はそれらに通信的に連結することができる。物体検出器４８０は、エンクロージャ４６０の内部４６１の中の物体（複数可）を検出する（診断動作を行う前に内部４６１が空であることを確認する）ように構成することができる。物体検出器４８０は、光学的物体検出器、レーザ光検出器、及び／又は同類のものを備えることができる。物体検出器４８０は、レーザ発生器と、レーザ検出器と、を備えることができる。レーザ発生器は、１つ以上のレーザ出力を生成するように構成することができ、検出器は、内部４６１の中で反射及び／又は拡散された対応する信号を検出するように構成することができる。代替的に、又は加えて、レーザ発生器は、（レーザ信号が内部４６１の中の物体によって遮断されるように）内部４６１を通してレーザ信号をエンクロージャ４６０内の１つ以上の検出器レーザ検出器に方向付けることができる。ＥＯメーター４９０は、それぞれのエミッタ４６８によってエンクロージャ４６０の中で放出されたＥＯ放射線を測定するように構成することができる。
【００７２】
いくつかの実施形態において、診断モジュール４７８は、診断動作を行うように構成され、これは、ａ）エンクロージャ４６０が閉鎖構成にあることを確認することと、ｂ）エンクロージャ４６０が空であることを確認することと（すなわち、ＰＤ１８０又は他の物体がエンクロージャ４６０内に存在しないことを確認することと）、ｃ）それぞれのエミッタ４６８を選択的に起動することと、及びｄ）それぞれのエミッタ４６８によってＥＯ放射線出力を測定することと、を含む。診断動作は、それぞれのエミッタ４６８の測定出力と１つ以上の閾値とを比較することと、比較することに基づいて、それぞれのエミッタ４６８の状態、出力効率、出力レベル、残存寿命、及び／又は他の特性を評価することと、を更に含むことができる。診断動作は、エミッタ４６８の１つ以上の出力が最小閾値を満足できないと判定し、したがって、交換しなければならないと判定することを含むことができる。診断モジュール４７８は、衛生化ステーション１５０に関連する診断情報を衛生化マネージャ１１０及び／又はＨＭＩ４２０に通信するように構成することができる。
【００７３】
図４Ｂ及び４Ｃは、前面パネル４６５が底部ヒンジ４６９（又は他の部材）を介して開放構成から閉鎖構成へと（及び逆もまた同様に）回転する実施形態を示す。図４Ｂに例示されるように、開放構成にあるときに、前面パネル４６５の内面４６７は、ＰＤ１８０を受容するように露出される。内面４６７は、エンクロージャ４６０に近接する端部が、エンクロージャ４６０更に離れた端部に対して高くなるように、角度付きとすることができる。図４Ｃに例示されるように、アクチュエータ４７０は、（底部ヒンジ４６９を介して）前面パネル４６５を閉鎖構成に回転させることができる。閉鎖構成において、ＰＤ１８０は、とりわけ前面パネル４６５の内面４６７の角度のため、エンクロージャ４６０内に固定することができる。それによって、ＰＤ１８０は、追加の固定部材を必要とすることなく、エンクロージャ４６０内に固定することができ、エミッタ４６８のＥＯ放射線を遮断及び／又は放散する（並びにＰＤ１８０が完全に衛生化されることを防止する）ことができる。内面４６７は、ＥＯエミッタ４６８によって放出されたＥＯ放射線を実質的に透過する材料で形成することができる。前面パネル４６５及び／又は内面４６７は、ＰＤ１８０をエンクロージャ４６０内に更に固定するための１つ以上の切欠き、溝、及び／又は同類のものを備えることができる。上で開示したように、アクチュエータ４７０は、ＨＭＩ構成要素４２０を介して（ハンズフリーＨＭＩ要素４２２を介して）受信したハンズフリー入力に応答して、前面パネル４６５を開く、及び閉じるように構成することができる。そのような実施形態において、ユーザ１８２は、衛生化ステーション１５０の外部表面に接触することなく、ＰＤ１８０を衛生化することができる。ユーザ１８２は、ＰＤ１８０をその中に配置する（及び衛生化が完了した後にＰＤ１８０を取り外す）間、前面パネル４６５の内面４６７に接触する場合がある。いくつかの実施形態において、衛生化ステーション１５０は、ユーザ１８２及び／又はＰＤ１８０がエンクロージャ４６０内の任意の先住する汚染物質を晒されないことを確実にするために、前面パネル４６５を開く前に内面４６７を衛生化するように構成される。図４Ｂ及び４Ｃは、衛生化ステーション１５０のハンズフリー動作のための特定の実施形態を例示しているが、本開示は、これに関して限定されず、また、エンクロージャ４６０の中及び外へ摺動させるための自己作動トレイ、挿入スロット、回動開口部、及び／又は同類のもの、が挙げられるが、これらに限定されない、任意の好適なハンズフリー機構を使用するように適合させることができる。
【００７４】
図４Ａを再度参照すると、本明細書で開示される衛生化ステーション１５０は、衛生化モニタ１２０Ｃを備えること、及び／又はそこに通信的に連結することができる。衛生化モニタ１２０Ｃは、衛生化ステーション１５０によって行われる衛生化動作に関連する情報を取り込む（例えば、本明細書で開示されるように、衛生化記録を取得する）ように構成することができる。衛生化モニタ１２０Ｃは、ネットワーク１０２を介して（及びネットワークインターフェース構成要素４４０の使用によって）、衛生化動作に対応する監視メタデータ１１３を衛生化マネージャ１１０に伝送するように更に構成することができる。ネットワークインターフェース構成要素４４０としては、ネットワークインターフェースデバイス、ネットワークインターフェースポート、ネットワークインターフェースカード、有線ネットワークインターフェース構成要素、ネットワークインターフェースポート、無線ネットワークインターフェース構成要素（例えば、無線ネットワーク送信機、受信機、トランシーバ、及び／又は同類のもの）、通信バス、通信ドライバ、及び／又は同類のものを挙げることができるが、これらに限定されない。
【００７５】
衛生化モニタ１２０Ｃは、ステーションインターフェース構成要素４３０を備えることができ、これは、とりわけ、衛生化ステーション１５０のエンクロージャ４６０内で衛生化されるＰＤ１８０のデバイス識別子１８１を決定するように構成することができる。ステーションインターフェース構成要素４３０は、バーコードスキャナ、バーコードリーダ、光学文字認識（Optical Character Recognition、ＯＣＲ）システム、ネットワークインターフェース構成要素４４０（例えば、ＢＬＵＥＴＯＯＴＨ（登録商標）ネットワークインターフェース構成要素、ＮＦＣネットワークインターフェース構成要素、及び／又は同類のもの）、ＲＦＩＤリーダ、手動入力デバイス、ソフトウェアインターフェース（例えば、ＰＤ１８０上で動作する管理クライアント１１８へのインターフェース）、バスインターフェース構成要素（例えば、ユニバーサルシリアルバス（ＵＢＳ）インターフェース構成要素、ＵＳＢ−Ｃインターフェース構成要素、ＬＩＧＨＴＮＩＮＧ（登録商標）インターフェース構成要素、など）、及び／又は同類のもの、が挙げられるが、これらに限定されない、任意の適切な技法及び／又はデバイスを使用してデバイス識別子１８１を取り込むように構成することができる。ステーションインターフェース構成要素４３０は、それぞれの衛生化動作に関連する情報を取り込むように更に構成することができ、これとしては、衛生化ステーション１５０の識別子、衛生化ステーション１５０の場所、衛生化動作を行ったユーザ１８２の識別子、衛生化動作の持続時間、衛生化動作のタイプ（例えば、クイック、標準、ディープ、又は同類のもの）、衛生化動作において使用されるＥＯ放射線、衛生化動作が完全に完了したかどうかの指示、衛生化動作が開始され時間、衛生化動作が完了した時間、ＰＤ１８０及び／又は衛生化ステーション１５０に関連する診断、認証証明書、署名、並びに／又は同類のものを挙げることができるが、これらに限定されない。衛生化モニタ１２０Ｃは、本明細書で開示されるように、ネットワーク１０２を介して（ネットワークインターフェース構成要素４４０の使用によって）衛生化動作に関連する監視メタデータ１１３を衛生化マネージャ１１０のモニタ１１２に伝送するように更に構成することができる。図４Ａ実施形態において、衛生化モニタ１２０Ｃは、衛生化ステーション１５０とは別に具現化されているが、本開示は、これに関して限定されない。他の実施形態において、衛生化モニタ１２０Ｃは、衛生化ステーション１５０の構成要素として（例えば、同じデバイスの一部として）具現化することができる。
【００７６】
図４Ｄは、衛生化ステーション１５０の別の実施形態を例示する簡略図である。図４Ｄの実施形態において、診断モジュール４７８は、コントローラ４１０の構成要素として具現化される。診断モジュール４７８は、コントローラ４１０の論理及び／若しくは回路素子、非一時的記憶媒体（例えば、記憶装置４１４）に記憶されたファームウェア、命令、及び／又は同類のものとして具現化することができる。診断モジュール４７８は、物体検出器４８０及び１つ以上のＥＯメーター４９０の使用によって診断動作を行うように構成することができる。上で開示したように、物体検出器４８０は、エンクロージャ４６０の内部４６１が空であるかどうか（ＰＤ１８０又は他の物体が内部４６１の中へ配置されているかどうか）を判定するように構成することができる。物体検出器４６１は、信号トランシーバ、信号エミッタ、及び／又は信号受信機を備えることができる。いくつかの実施形態において、物体検出器４８０は、エンクロージャ４６０の内部４６１の中へＥＯ信号を出力するように構成された信号発生器（レーザ）４８２を備える。物体検出器４８０は、生成されたＥＯ放射線信号に対応する帰還信号（複数可）を検出するための信号検出器４８４を更に備えることができる。信号検出器４８４は、内部４６１の中で反射及び／又は拡散された信号を検出するように構成することができる。代替的に、又は加えて、信号検出器４８４は、そこに方向付けられたＥＯ信号を検出するように構成すること（例えば、内部４６１の対向端部に配置すること）ができる。衛生化ステーション１５０は、１つ以上のＥＯメーター４９０を更に備えることができ、これは、エンクロージャ４６０の内部４６１の中でそれぞれのエミッタ４６８によって生成されたＥＯ放射線を測定するように構成することができる。診断モジュール４７８は、本明細書で開示されるように、診断動作を実行するように構成することができ、これは、ａ）衛生化ステーション１５０が閉鎖構成であることを確実にすることと、ｂ）物体検出器４８０を使用して、エンクロージャ４６０の内部４６１が空であることを確認することと、ｃ）それぞれのエミッタ４６８をＥＯ放射線を放出するように構成することと、ｄ）（ＥＯメーター４９０の使用によって）それぞれのエミッタ４６８によって生成されたＥＯ放射線を測定することと、を含むことができる。図４Ｄ実施形態において、診断動作を実施することは、各エミッタ４６８Ａ〜Ｄを個々に選択的に起動させることを含むことができる。ＥＯメーター４９０は、それぞれのＥＯエミッタ４６８Ａ〜Ｄによって生成されたＥＯ放射線の量を決定することができる。ＥＯメーター４９０は、ＥＯメーター４９０がＥＯエミッタ４６９Ａ〜Ｄのそれぞれに対して実質的に類似する近接性であるように、内部４６１の中に配置することができる。代替的に、又は加えて、衛生化ステーション１５０は、それぞれのＥＯエミッタ４６８Ａ〜Ｄに対して実質的に同じ近接性で、複数のＥＯメーター４９０を備えることができる。診断モジュール４７８は、とりわけその劣化を検出するために、それぞれのＥＯエミッタ４６８Ａ〜ＤのＥＯ出力を経時的に追跡するように更に構成することができる。診断情報は、記憶装置４１４に記録することができ、及び／又はネットワーク１０２を介して衛生化マネージャ１１０に通信することができる。診断モジュール４７８は、とりわけ交換を必要とするＥＯエミッタ４６８Ａ〜Ｄを識別するために、各ＥＯエミッタ４６８Ａ〜ＤのＥＯ出力と１つ以上の閾値とを比較することができる。エミッタ４６８Ａ〜Ｄのうちの１つ以上のＥＯ出力が最小閾値よりも低かった場合、診断モジュール４７８は、ＥＯエミッタ４６８Ａ〜Ｄが交換されるまで、衛生化ステーション１５０を使用停止にする。診断モジュール４７８は、診断情報を衛生化マネージャ１１０に提供することができ、これは、ＰＤ１８０、電子監視デバイス１２０Ｂ、通信デバイス１８３、及び／又は同類のもののうちの１つ以上を通して、ユーザ１８２に停止を知らせることができる。
【００７７】
図５は、本明細書で開示される衛生化ステーション１５０の別の実施形態を示す。図５は、前面パネル４６５が底部ヒンジ４６９（及びアクチュエータ４７０、例示される実施形態の詳細を不明瞭にすることを回避するために図示せず）を介して、エンクロージャ４６０から離れて回転する、開放構成の衛生化ステーション１５０を示す。例示されるように、前面パネル４６５の内面４６７は、ヒンジ４６９に近接する内面４６７の端部が対向端部に対して高くなるように、角度付きとすることができる。したがって、衛生化ステーション１５０が閉鎖構成に移行する（例えば、前面パネル４６５が、ヒンジ４６９を中心に回転して、エンクロージャ４６０を覆う）ときに、内面４６７の上に配置されたＰＤ１８０は、その上に固定されるままであり得る。図５実施形態の衛生化ステーション１５０は、垂直に（例えば、壁に）装着するように構成することができる。
【００７８】
図６は、ＰＤ１８０の衛生化を管理するための方法の一実施形態のフロー図である。ステップ６０２は、１つ以上のＰＤ１８０の衛生化状態に関連する監視メタデータ１１３を取得することを含むことができる。ステップ６０２は、１つ以上のモニタユニット１２０Ａ〜Ｎの使用によって監視メタデータ１１３を取り込むことを含むことができる。ステップ６０２は、本明細書で開示されるように、相関モニタユニット１２０Ｘの使用によって更に追加の監視メタデータ１１３を導出することを含むことができる。
【００７９】
ステップ６０４は、衛生化ポリシー１１９を評価することを含むことができる。衛生化ポリシー１１９を評価することは、ＰＤ１８０の監視メタデータ１１３と、ＰＤ１８０に最後に衛生化動作を行ってからの経過時間、ＰＤ１８０の汚染物質への潜在的曝露（複数可）（ＰＤ１８０と関連付けられたタスク、場所、患者、及び／又は診断に基づく）、などの衛生化ポリシー１１９に定義された１つ以上のルールとを比較することを含むことができる。ステップ６０６は、ＰＤ１８０の衛生化状態３８６を判定することを含むことができる。衛生化状態３８６は、次の衛生化動作、衛生化優先順位（例えば、０〜Ｎ）、及び／又は同類のものに関するスケジュールされた時間を示すことができる。ステップ６０８は、１つ以上の管理アクションを実施することを含むことができる。ステップ６０８の管理アクションは、ステップ６０６で判定した衛生化状態３８６及び／又は衛生化優先順位に対応することができる。管理アクションは、ＰＤ１８０がユーザ１８２にＰＤ１８０のスケジュールされた衛生化動作を通知すること、ＰＤ１８０を衛生化するようにユーザ１８２に指示すること、動作を再開する前にＰＤ１８０を衛生化するように要求すること、及び／又は同類のことを行うように構成することができる。
【００８０】
図１を再度参照すると、衛生化マネージャ１１０は、インターフェース１２２を備えることができ、これは、ＰＤ１８０、監視デバイス１２０Ａ〜Ｎ、衛生化ステーション１５０、などとインターフェースするように構成することができる。インターフェース１２２は、衛生化管理サーバ１１１上に具現化することができる。インターフェース１２２は、ネットワーク通信インターフェース（例えば、ウェブサーバ）、アプリケーションプログラミングインターフェース（application programming interface、ＡＰＩ）、及び／又は同類のものを備えることができる。代替的に、又は加えて、インターフェース１２２は、本明細書で開示されるようなＨＭＩ構成要素４２０などのハードウェア構成要素（例えば、入力デバイス、出力デバイス、など）によって具現化することができる。
【００８１】
図６は、本明細書で開示される衛生化管理システム１００のためのインターフェース６２２の一実施形態を示す。インターフェース６２２（及び本明細書で開示される他のインターフェース）は、非一時的記憶媒体に記憶及び／又は記録することができるコンピュータ可読コード、電子マークアップデータ、スクリプトデータ、及び／又は同類のもののうちの１つ以上として具現化することができる。インターフェース６２２は、ポータブルコンピューティングデバイス（例えば、ＰＤ１８０、通信デバイス１８３、及び／又は同類のもの）に表示するように構成することができる。インターフェース６２２は、衛生化システム１００と関連付けられた組織６１０を識別することができる。インターフェース６２２は、ダッシュボード構成要素６１２を備えることができ、これは、衛生化マネージャ１１０によって実施されている衛生化ポリシー１１９、監視デバイス１２０Ａ〜Ｎの状態、それぞれの監視デバイス１２０Ａ〜Ｎ（及び対応する衛生化管理データ１３３）によって取得される監視メタデータ１１３に関連する情報、などの、衛生化システム１００に関連する情報を提供するように構成することができる。インターフェース６２２は、ポータブルデバイス構成要素６１４を含むことができ、これは、衛生化システム１００（及び／又は対応する監視デバイス１２０Ａ〜Ｎ）内に登録されたポータブルデバイス１８０を管理するように構成することができる。インターフェース６２２は、衛生化ステーション構成要素６１６を更に含むことができ、これは、衛生化システム１００の衛生化ステーションを管理するように構成することができる。
【００８２】
図７Ａは、衛生化システム１００の衛生化ステーション１５０を管理するためのインターフェース７１６の一実施形態を示す。インターフェース７１６は、上で開示した衛生化ステーション構成要素６１６を通してアクセスすることができる。代替的に、又は加えて、インターフェース７１６は、衛生化マネージャ１１０によって提供される別個の独立したインターフェースを備えることができる。
【００８３】
インターフェース７１６は、衛生化システム１００の衛生化ステーションのリスト１５０を提供することができる。リストは、衛生化システム１００に登録されたそれぞれの衛生化ステーション１５０のエントリを含むことができる。図７Ａの実施形態のインターフェース７１６は、それぞれのラベル要素７５１を使用して識別することができる、３つの衛生化ステーションを示す。ラベル要素は、衛生化ステーション１５０の識別子１５１、衛生化ステーション１５０の場所、衛生化ステーション１５０の名前及び／若しくはラベル（例えば、ＥＲ、入室、及び診察室Ｘ）、並びに／又は同類のものを示すことができる。各リスト要素は、それぞれの衛生化ステーション１５０の現在の状態を示す状態インジケータ７１７を更に備えることができる。状態インジケータ７１７は、衛生化マネージャ１１０が（通信ネットワーク１０２を通して）衛生化ステーション１５０と通信しているかどうか、衛生化ステーション１５０が動作中であるかどうか、衛生化ステーション１５０の構成、衛生化ステーション１５０の保守状態（例えば、最後のサービス以来の時間数）、などのうちの１つ以上を示すことができる。インターフェース７１６は、（衛生化ステーション１５０のそれぞれのリスト要素を選択することによって）登録された衛生化ステーション１５０を構成すること、及び／又は新しい衛生化ステーション１５０を登録すること、を提供することができる。
【００８４】
図７Ｂは、衛生化ステーション１５０を衛生化システムに登録するためのインターフェース７１８の一実施形態を示す。インターフェース７１８は、上で開示したインターフェース構成要素を通してアクセスすることができる。代替的に、又は加えて、インターフェース７１８は、別個の独立したインターフェースを実装したコンピューティングデバイス（例えば、ＰＤ１８０、通信デバイス１８３、及び／又は同類のもの）、衛生化マネージャ１１０、及び／又は衛生化ステーション１５０自体（ＨＭＩ構成要素４２０、ステーションインターフェース４３０、及び／又は同類のもの）を備えることができる。図７Ｂに例示されるように、インターフェース７１８は、ＮＦＣ、Ｂｌｕｅｔｏｏｔｈ、及び／又は他の通信メカニズムの使用によって、コンピューティングデバイス７１８に近接する衛生化ステーション１５０を検索することができる。図７Ｃは、通信を確立した後に、それによって衛生化ステーション１５０を登録するためのインターフェース７１９の一実施形態を示す。インターフェース７１９は、衛生化ステーションの識別子１５１を表示することができる。インターフェース７１９は、衛生化の名前及び場所を指定及び／又は編集するための入力構成要素を備えることができる。インターフェース７１９は、（例えば、衛生化ステーション１５０が、１つ以上の通信ネットワーク１０２を介して衛生化マネージャ１１０と通信することを可能にするように）衛生化ステーションのネットワーク通信をセットアップするための入力構成要素を備えることができる。インターフェース７１９を通して提供された情報（例えば、名前、場所、ネットワーク構成、など）は、本明細書で開示されるように（例えば、持続的な構成及び／又はロギングデータ１５３として）持続的に衛生化ステーション１５０内に記憶することができる。
【００８５】
図７Ｄは、衛生化ステーション１５０を管理するためのインターフェース７２０の一実施形態を示す。インターフェース７１８は、上で開示したインターフェース構成要素を通してアクセスすることができる。代替的に、又は加えて、インターフェース７２０は、別個の独立したインターフェースを実装したコンピューティングデバイス（例えば、ＰＤ１８０、通信デバイス１８３、及び／又は同類のもの）、衛生化マネージャ１１０、及び／又は衛生化ステーション１５０自体（ＨＭＩ構成要素４２０、ステーションインターフェース４３０、及び／又は同類のもの）を備えることができる。インターフェース７２０は、（例えば、本明細書で開示されるように、ラベル要素７５１の使用によって）構成されている衛生化ステーションを識別することができる。インターフェース７２０は、衛生化ステーションの様々な態様を構成するための構成要素を備えることができ、これとしては、自動開放設定、ドア設定、セキュリティ設定、衛生化設定、ログ設定、ネットワーク設定、などを構成するための構成要素を挙げることができるが、これらに限定されない。インターフェース７２０は、衛生化ステーション１５０をデフォルト構成にリセットする（及び／又は所定の構成をロードする）ための構成要素を更に備えることができる。
【００８６】
自動ドア設定構成要素は、衛生化ステーション１５０のハンズフリー動作が可能であるかどうか（例えば、エンクロージャ４６０の開口部４６４が自動的に開くように構成されているかどうか）を指定するために使用することができる。自動ドア設定構成要素は、（例えば、運動の検出、音声起動、及び／又は同類のものに応答して）ハンズフリー動作をトリガするためのイベントを指定することを提供することができる。自動ドア設定構成要素は、アクチュエータ４７０が開口部４６４を開く及び／又は閉じる速度、自動開放の遅延（アクチュエータ４７０が開口部４６４を移動させ始めた時間から、ドアを開ける要求を検出するまでの時間）、などを指定することができる。ドア設定構成要素は、開放構成における前面パネル４６５の角度、閉鎖構成における前面パネル４６５の角度、衛生化動作中に前面パネル４６５に加えられる圧力及び／又は力の量、及び／又は同類のものなどの、衛生化ステーション１５０の開放設定及び／又は閉鎖設定を構成することができる。
【００８７】
セキュリティ設定構成要素は、衛生化ステーション１５０のセキュリティ設定を構成するために使用することができ、これとしては、衛生化ステーション１５０を使用及び／又は管理する認証が要求されているかどうか、未登録デバイスを衛生化ステーション内で使用することができるかどうか、などを挙げることができるが、これらに限定されない。衛生化ステーション１５０を使用するために要求される認証は、任意の好適な信用証明書（例えば、パスワード、生体認証、ジェスチャ、又は同類のもの）を含むことができる。セキュリティ設定は、認証証明書がなければ、衛生化ステーション１５０を使用することができないことを指定することができる。認証証明書は、そのＨＭＩ構成要素４２０を通して、検出器４６６を通して、ステーションインターフェース４３０を通して、及び／又は同類のものを通して、衛生化ステーション１５０に通信することができる。いくつかの実施形態において、認証証明書は、管理アプリケーション１１８、電子監視デバイス１２０Ｂ、通信デバイス１８３、又は同類のもの（例えば、ＲＦＩＤタグ）によって提供することができる。衛生化ステーション１５０は、認証証明書を確認する（及び／又は、照合のための衛生化マネージャ１１０に認証証明書を伝送する）ように構成することができる。衛生化ステーション１５０は、認証証明書を確認することに応答して、衛生化動作を行うことができる（及び／又は衛生化ステーション１５０の管理インターフェース（複数可）へのアクセスを可能にする）ように、エンクロージャ４６０を開くことができる。
【００８８】
監査設定構成要素は、衛生化ステーション１５０の機能（例えば、ロギングが可能であるかどうか、ロギングする情報、セキュリティ及び／又は監査情報の認証保護、など）をロギング及び／又は監査するために使用することができる。ネットワーク設定構成要素は、本明細書で開示されるように、衛生化ステーション１５０のネットワーク設定を構成するために使用することができる。
【００８９】
図８Ａは、ＰＤ１８０を衛生化システム１００内に登録するためのインターフェース８１４の一実施形態を示す。インターフェース７１６は、上で開示した衛生化ステーション構成要素６１６を通してアクセスすることができる。代替的に、又は加えて、インターフェース７１６は、衛生化マネージャ１１０によって提供される別個の独立したインターフェースを備えることができる。
【００９０】
インターフェース８１４は、それぞれ登録されたＰＤ１８０のリストエントリを備えるリストを提供することができる。図８Ａの実施形態のインターフェース８１４は、３つのリスト要素を含み、それぞれが、それぞれの状態インジケータ８１７と、ラベル８５１要素と、を含む。ラベル要素８５１は、ＰＤ１８０及び／又は電子監視デバイス１２０Ｃに関する情報（例えば、「Ｙ医師の電話」、「検査タブレット」、及び「診断Ｘ」などのラベル）を提供することができる。状態インジケータ部材８１７は、それぞれのＰＤ１８０に関連する状態情報を提供することができ、これとしては、ＰＤ１８０が衛生化ポリシー１１９に準拠しているかどうか、ＰＤ１８０が衛生化マネージャ１１０とネットワーク通信しているかどうか、など、が挙げられるが、これらに限定されない。
【００９１】
図８Ｂは、ＰＤ１８０を衛生化システム１００に登録するためのインターフェース８１９の一実施形態を示す。インターフェース８１９は、衛生化管理サーバ１１１、管理クライアント１１８、電子監視デバイス１２０Ｂ、及び／又は同類のものによって提供することができる。インターフェース８１９は、衛生化システム１００と関連付けられた組織６１０を識別すること、及び／又は指定された組織６１０内のＰＤ１８０のユーザ（例えば、ユーザ名、役割、グループ、及び／又は同類のもの）を指定することができる。インターフェース８１９は、ＰＤ識別子１８１、名前、タイプ、ユーザ（複数可）、マネージャ、などの、ＰＤ１８０に関連する情報を指定するための構成要素８２０を更に備えることができる。インターフェース構成要素８２０は、ＰＤ１８０上のＲＦＩＤタグを走査すること、ＰＤ１８０を読み込むこと、ＰＤ識別子１８１を生成すること、及び／又は同類のことのうちの１つ以上によってＰＤ識別子１８１を取得するように構成することができる。インターフェース８１９に入力された情報は、本明細書で開示されるように、衛生化マネージャ１１０に伝送すること、並びに／又はＰＤ記録及び／若しくはＰＤ状態１１７として記憶することができる。それに応じて、衛生化マネージャ１１０は、本明細書で開示されるように、（例えば、衛生化ポリシー１１９に従ってＰＤ１８０の衛生化動作をスケジュールすることによって）ＰＤ１８０の衛生化を管理することができる。
【００９２】
図９は、衛生化システム１００によって管理されるＰＤ１８０に関連するインターフェース９２２の一実施形態を示す。インターフェース８１９は、衛生化管理サーバ１１１、管理クライアント１１８、電子監視デバイス１２０Ｂ、及び／又は同類のものによって提供することができる。インターフェース９２２は、インターフェース９２２が関連するＰＤ１８０を識別するラベル８５１を含む。インターフェース９２２は、ＰＤ１８０自体に（例えば、「Ｙ医師の電話」ＰＤ１８０に）、及び／又は別個のコンピューティングデバイスに表示することができる。インターフェース９２２は、ＰＤ１８０の現在の衛生化状態に関連する情報（例えば、本明細書で開示されるような、ＰＤ状態１１７及び／又は衛生化状態３８６）を表示するように構成されたＰＤ衛生化状態構成要素９２４を含むことができ、これとしては、ＰＤ１８０についてスケジュールされた次の衛生化時間、ＰＤ１８０のＬＳＴの指示、ＬＳＴ以来の潜在的曝露、ＰＤ１８０に対する制限、などを挙げることができるが、これらに限定されない。
【００９３】
インターフェース９２２は、報告構成要素９２５を更に備えることができ、これは、ＰＤ１８０の現在の衛生化状態に関連する更新された情報を提供するように構成することができる。報告構成要素９２５は、ＰＤ１８０の潜在的汚染を報告するために提供することができる。報告構成要素９２５を使用して、（例えば、インターフェース９２２がＰＤ１８０及び／又は電子監視デバイス１２０Ｂ上で動作しているときに）ＰＤ１８０自体の潜在的汚染を報告すること及び／又は別のＰＤ１８０の潜在的汚染を報告することができる。衛生化監査構成要素９２５は、本明細書で開示されるように、ＰＤ１８０を即座に衛生化するように要求するために提供すること（例えば、ＰＤ１８０の特定の衛生化優先順位を指定すること）ができ、及び／又はＰＤ１８０に制限を課すことができる。
【００９４】
インターフェース９２２は、ＰＤ１８０の衛生化を容易にするように構成することができる、衛生化構成要素９２６を更に含むことができる。衛生化構成要素９２６は、近くの衛生化ステーション１５０の場所を示すこと、衛生化ステーション１５０を起動させること（例えば、衛生化ステーション１５０に対して認証すること、ハンズフリーモードを起動してエンクロージャ４６０を開くこと、及び／又は同類のこと）ができる。
【００９５】
インターフェース９２２の衛生化ポリシー構成要素９２８は、ＰＤ１８０の衛生化ポリシー１１９に関連する情報を提供するように、及び／又はＰＤ１８０に関連する監査記録１１５を表示するように構成することができる。衛生化ポリシー構成要素９２８は、（インターフェース９２２のユーザが、衛生化システム１００内で衛生化ポリシー１１９を作成及び／又は編集する許可を与えられているかどうかに基づいて）ＰＤ１８０の衛生化ポリシー１１９を作成及び／又は修正するように更に構成することができる。
【００９６】
図１０は、本明細書で開示される、デバイスの衛生化を管理するための方法の一実施形態のフロー図である。図１０に関連して開示されるステップ、動作、及び／又はプロセスの一部分（及び、本明細書の他のフロー図）は、ハードウェア構成要素（例えば、コンピューティングデバイス、監視デバイス１２０Ａ〜Ｎ、ＰＤ１８０、及び／又は同類のもの）を使用して実施することができる。代替的に、又は加えて、開示されるステップ、動作、及び／又はプロセスの一部分は、非一時的記憶媒体に記憶したコンピュータ可読命令として具現化することができる。
【００９７】
ステップ１００２は、ＰＤ１８０に関連する監視メタデータを取得することを含むことができる。ステップ１００２は、本明細書で開示されるように（例えば、衛生化ステーション１５０から）、ＰＤ１８０の最後の衛生化時間を決定することを含むことができる。ステップ１００２は、（衛生化ステーション１５０及び／又は衛生化ステーションモニタ１２０Ｃから）衛生化動作がＰＤ１８０に行われたと判定することを更に含むことができる。ステップ１０１０は、本明細書で開示されるように、更に１つ以上の監視デバイス１２０Ａ〜Ｎから他の監視メタデータ１１３を取得すること、及び／又はＰＤ１８０に関連する追加の監視メタデータ１１３を導出することを含むことができる。ステップ１００２は、監視メタデータ１１３に関連する監査記録１１５（例えば、ＰＤ１８０に行った衛生化動作、ＰＤ１８０の潜在的汚染、などに対応する監査記録１１５）を記録することを更に含むことができる。
【００９８】
ステップ１００４は、ステップ１００４で取得した監視メタデータに基づいてＰＤ１８０の衛生化状態を判定することを含むことができる。ステップ１００４は、ＰＤ１８０の最後の衛生化時間から経過した時間と、推奨される衛生化期間及び／又はＰＤ１８０の最長の衛生化期間のうちの１つ以上とを比較することを含むことができる。いくつかの実施形態において、ステップ１００４は、（取得した監視メタデータに基づいて）ＰＤ１８０の衛生化ポリシー１１９を評価することを含むことができる。ステップ１００４は、本明細書で開示されるように、監視メタデータ１１３に基づいて（例えば、ＬＳＴ以来のＰＤ１８０の場所（複数可）、タスク（複数可）、患者（複数可）に基づいて）ＰＤ１８０の潜在的汚染を検出することを更に含むことができる。ステップ１００４は、本明細書で開示されるように、ＬＳＴ以来の時間ルール、曝露ルール、制限ルール、管理アクションルール、及び／又は同類のものなどの、衛生化ポリシー１１９に定義される１つ以上のルールを加えることを更に含むことができる。ステップ１００４は、ＰＤ１８０のＰＤ状態１１７を判定及び／又は更新することを含むことができる。ステップ１００４は、ＰＤ１８０の衛生化状態３８６を判定することを含むことができ、これは、本明細書で開示されるように、次の衛生化時間、衛生化優先順位、ＬＳＴ以来のＰＤ１８０の潜在的曝露、ＰＤ１８０に対する制限、などのうちの１つ以上を含むことができる。
【００９９】
ステップ１００６は、ＰＤ１８０の衛生化状態に関連する１つ以上の管理アクションを実施するかどうかを判定することを含むことができる。ステップ１００６は、（衛生化ポリシー１１９に準拠したままであるために）衛生化動作をＰＤ１８０に行われなければならなくなるまでの残り時間を示す通知及び／又はリマインダを発行するかどうかを判定すること、のうちの１つ以上を含むことができる。ステップ１００６は、ＰＤ１８０が衛生化の期限を過ぎていることを示す通知及び／又はリマインダを発行するかどうかを判定することを更に含むことができる。いくつかの実施形態において、ステップ１００８は、（ＰＤ１８０の判定した衛生化状態３８６に基づいて）ＰＤ１８０が衛生化ポリシー１１９に準拠しなくなったかどうかを判定することを含むことができる。ステップ１００６の判定が、１つ以上の管理アクションを取ることを示した場合、フローは、ステップ１００８を続け、示さなかった場合、フローは、再度ステップ１００２を続けることができる。
【０１００】
ステップ１００８は、本明細書で開示されるように、ＰＤ１８０の衛生化状態に関連する１つ以上の管理アクションを実施することを含むことができる。ステップ１００８は、ＰＤ１８０の衛生化に関連するメッセージ、指令、コマンド、及び／又は命令を発行することを含むことができる。ステップ１００８は、（例えば、ユーザ１８２の通信デバイス１８３に送信されるテキストメッセージ又はＥメールとして）メッセージをＰＤ１８０のユーザ１８２に送信することを含むことができる。代替的に、又は加えて、ステップ１００８は、メッセージ、指令、コマンド、及び／又は命令を、ＰＤ１８０、１つ以上の監視デバイス１２０Ａ〜Ｎ、管理要員、管理者、保守要員、コンプライアンス要員、及び／又は同類のものに発行することを含むことができる。ステップ１００８は、コンピュータ可読命令を、ＰＤ１８０にリマインダ通知を表示させるように構成されたＰＤ１８０に送信することを含むことができる。代替的に、又は加えて、ステップ１００８は、コンピュータ可読命令を送信して、衛生化動作が行われるまで、ＰＤ１８０に更なる動作を遮断及び／又は阻止させることを含むことができる。ステップ１００８は、本明細書で開示されるように、１つ以上の制限を実施することを更に含むことができる。管理アクションを実施すると、フローは、再度ステップ１００２を続けることができる。
【０１０１】
図１１は、デバイスの衛生化を管理するための方法の１１００の別の実施形態のフロー図である。ステップ１１０２は、１つ以上の監視デバイス１２０Ａ〜Ｎから監視メタデータ１１３を受信することに応答して、ＰＤ１８０のＰＤ状態１１７を判定することを含むことができる。ステップ１１０２は、本明細書で開示されるように、とりわけ衛生化ポリシー１１９のルールを監視メタデータ１１３に適用することによって、ＰＤ１８０の衛生化状態３８６を判定することを更に含むことができる。
【０１０２】
ステップ１１０４は、判定したＰＤ状態１１７（及び／又は衛生化状態３８６）に基づいて、ＰＤ１８０の衛生化管理データ１３３を生成することを含むことができる。衛生化管理データ１３３は、本明細書で開示されるように、ＰＤ１８０の次の衛生化時間、衛生化優先順位、ＰＤ１８０の潜在的汚染、ＰＤ１８０に適用する制限、などを含むことができる。ステップ１１０４は、衛生化管理データ１３３を、ＰＤ１８０、ＰＤ１８０のユーザ（複数可）１８２、１つ以上の通信デバイス１８３、監視デバイス１２０Ａ〜Ｎ（例えば、ＰＤ１８０の電子監視デバイス１２０Ｃ、及び／又はＰＤ１８０に対する制限を施行するための監視デバイス１２０Ａ〜Ｎ）、他の要員、及び／又は同類のもののうちの１つ以上に送信することを含むことができる。
【０１０３】
ステップ１１０６は、ＰＤ１８０をロックするかどうかを判定することを含むことができる。ステップ１１０６の判定は、本明細書で開示されるように、ＰＤ１８０の現在の衛生化状態３８６（例えば、衛生化動作の優先順位、ＰＤ１８０の潜在的汚染、及び／又は同類のもの）に基づくことができる。ステップ１１０６の判定が、ＰＤ１１０６をロックすることであった場合、フローは、ステップ１１０８を続け、ロックすることでなかった場合、フローは、再度ステップ１１０２に進む。
【０１０４】
ステップ１１０８は、本明細書で開示されるように、（例えば、コンピュータ可読コード及び／又は構成情報をＰＤ１８０及び／又は電子監視デバイス１２０Ｂに送信することによって）ＰＤ１８０をロックすることを含むことができる。
【０１０５】
ステップ１１１０は、ＰＤ１８０が衛生化ポリシー１１９に準拠しているかどうかを判定することを含むことができる。ステップ１１１０は、衛生化ステーションモニタ１２０Ｃからの監視メタデータ１１３に基づいて）必要な衛生化動作がＰＤ１８０に行われたかどうかを判定することを含むことができる。ステップ１１１０の判定が、ＰＤ１８０が衛生化ポリシー１１９に準拠していないことであった場合、ＰＤ１８０は、ステップ１１０８で、ロックされたままとすることができ、準拠していた場合、フローは、ステップ１１１２を続けることができる。
【０１０６】
ステップ１１１２は、本明細書で開示されるように、（例えば、コンピュータ可読コード及び／又は構成情報をＰＤ１８０及び／又は電子監視デバイス１２０Ｂに送信することによって）ＰＤ１８０をアンロックすることを含むことができる。フローは、次いで、ステップ１１０２に進むことができる。
【０１０７】
図１２は、デバイスの衛生化を管理するための方法の別の実施形態のフロー図である。ステップ１２０２は、本明細書で開示されるように、ＰＤ１８０に関連する監視メタデータ１１３を取得することを含むことができ、ステップ１２０４は、取得した監視メタデータ１１３に応答して、ＰＤ１８０の衛生化状態３８６を判定することを含むことができる。
【０１０８】
ステップ１２０６は、ＰＤ１８０に制限を課すかどうかを判定することを含むことができる。ステップ１２０６の判定は、ＰＤ１８０の衛生化ポリシー１１９によって定義されたルールに基づくことができ、これとしては、本明細書で開示されるように、ＬＳＴ以来の時間ルール、曝露ルール、制限ルール、管理アクションルール、及び／又は同類のものを挙げることができるが、これらに限定されない。ステップ１２０６の判定が、１つ以上の制限を課すことであった場合、フローは、ステップ１２０８を続けることができ、課すことでなかった場合、フローは、ステップ１２０２を続けることができる。
【０１０９】
ステップ１２０８は、本明細書で開示されるように、ＰＤ１８０に対して１つ以上の制限を施行することを含むことができる。ステップ１２０８は、衛生化管理データ１３３をＰＤ１８０及び／又は電子監視デバイス１２０Ｃに伝送することを含むことができ、これは、ＰＤ１８０に対して制限を施行するように構成することができる。衛生化管理データ１３３は、ＰＤ１８０の管理クライアント１１８及び／又は電子監視デバイス１２０Ｃを構成して、タスク制限、場所制限、患者制限、患者状態制限、及び／又は同類のもののうちの１つ以上を施行することができる。衛生化管理データ１３３は、ＰＤ１８０及び／又は電子監視デバイス１２０Ｃが、ＰＤ１８０が、制限されたタスクに使用されること、制限された場所に持ち込まれること、制限された患者及び／若しくは患者状態と共に使用されること、並びに／又は同類のことを防止するように構成することができる。本明細書で開示されるように、制限を実施することは、ＰＤ１８０を選択的にロックすること、アラーム通知をアサートすること、及び／又は同類のことを含むことができる。
【０１１０】
ステップ１２１０は、ＰＤ１８０の制限を解除することができるかどうかを判定することを含むことができる。ステップ１２１０は、ＰＤ１８０に制限が課された後に（例えば、ステップ１２０２〜１２０６を行った後に）、ＰＤ１８０に衛生化動作が行われたかどうかを判定することを含むことができる。ステップ１２１０は、ＰＤ１８０に関連する追加の監視メタデータ１１３を受信すること（例えば、衛生化ステーションモニタ１２０Ｃから、ＰＤ１８０が衛生化されたことを示す衛生化記録を受信すること）を含むことができる。ステップ１２１０の判定が、ＰＤ１８０の制限を解除することができることであった場合、フローは、ステップ１２１２を続けることができ、できないことであった場合、フローは、１２０８を続けることができる（制限は、適所に残したままとすることができる）。
【０１１１】
ステップ１２１２は、ＰＤ１８０の制限を解除することを含むことができる。ステップ１２１２は、ＰＤ１８０のＰＤ状態１１７及び／又は衛生化状態３８６を更新して、ＰＤ１８０がステップ１２０４〜１２０８の制限を受けていないことを示すことを含むことができる。ステップ１２１２は、衛生化管理データ１３３を、ＰＤ１８０の制限を解除するように構成されたＰＤ１８０の１つ以上及び／又は電子監視デバイス１２０Ｃに伝送することを含むことができる。
【０１１２】
本開示では、様々な開示される実施形態の完全な理解を提供するために、特定の具体的な詳細を記載している。しかしながら、当業者は、これらの具体的な詳細のうちの１つ以上を伴わずに、又は他の方法、構成要素、材料などを伴って、実施形態を実践することができることを認識するであろう。他の場合において、光学文字認識システム、サーバコンピュータ、及び／又は通信ネットワークと関連する周知の構造は、実施形態の説明を不必要に隠すことを回避するために、詳細には示されていないか又は記載されていない。
【０１１３】
文脈上異なる解釈を要する場合を除き、「備える（comprise）」という語、並びに「備える（comprises）」及び「備えている（comprising）」などのその変形は、制限のない包含的な意味で、すなわち、「含むが、それに限定されない（including, but not limited to）」ものと解釈されるものとする。
【０１１４】
本明細書で使用するとき、「１つの実施形態（one embodiment）」又は「一実施形態（an embodiment）」に言及することは、その実施形態に関連して説明される特定の特徴、構造、又は特性が、少なくとも１つの実施形態に含まれることを意味する。したがって、本明細書における「１つの実施形態において」又は「一実施形態において」という語句の出現は、必ずしも、全てが同じ実施形態を参照しているわけではない。更に、特定の特徴、構造、又は特性は、任意の適切な様式で１つ以上の組み合わせに組み合わせること、又は組み立てることができる。
【０１１５】
本明細書で使用されるとき、単数形「ａ」、「ａｎ」、及び「ｔｈｅ」は、その内容について別段の明確な指示がない限り、複数の指示対象を含む。また、「又は（or）」という用語は、その内容について別段の明確な指示がない限り、一般に、最も広義に、すなわち、「及び／又は（and/or）」を意味するものとして用いられることにも留意されたい。
【０１１６】
本明細書で提供される見出し及び要約書は、便宜上のものであり、実施形態の範囲又は意味を解釈するものではない。
【０１１７】
本発明の根本原理を逸脱しない範囲で、上で説明した実施形態の詳細に対して変更を行うことができる。したがって、本発明の範囲は、以下の特許請求の範囲のみによって決定されるべきである。
【図１】
2020524028.tif 000003
【図２】
2020524028.tif 000004
【図３】
2020524028.tif 000005
【図４Ａ】
2020524028.tif 000006
【図４Ｂ】
2020524028.tif 000007
【図４Ｃ】
2020524028.tif 000008
【図４Ｄ】
2020524028.tif 000009
【図５】
2020524028.tif 000010
【図６】
2020524028.tif 000011
【図７Ａ】
2020524028.tif 000012
【図７Ｂ】
2020524028.tif 000013
【図７Ｃ】
2020524028.tif 000014
【図７Ｄ】
2020524028.tif 000015
【図８Ａ】
2020524028.tif 000016
【図８Ｂ】
2020524028.tif 000017
【図９】
2020524028.tif 000018
【図１０】
2020524028.tif 000019
【図１１】
2020524028.tif 000020
【図１２】
2020524028.tif 000021
【国際調査報告】
2020524028.tif 000022
2020524028.tif 000023
2020524028.tif 000024